(57)【要約】  ワイヤレス通信のための方法、システム、およびデバイスについて説明する。基地局とユーザ機器（ＵＥ）とは、マルチファイア接続を確立するために共通探索空間内で拡張物理ダウンリンク制御チャネル（ｅＰＤＣＣＨ）を利用し得る。共通探索空間は、共通ＰＤＣＣＨ（Ｃ−ＰＤＣＣＨ）とマルチファイアシステム情報ブロック（ＳＩＢ−ＭＦ１）許可とを含み得る。基地局は、ＳＩＢ−ＭＦ１許可とＣ−ＰＤＣＣＨとのための１つまたは複数の共通探索空間を定義し、マスタ情報ブロック（ＭＩＢ）内でのＵＥへの共通探索空間のためのリソース割振りをシグナリングし得る。各共通探索空間は、ＵＥがＳＩＢ−ＭＦ１許可とＣ−ＰＤＣＣＨとを復号することについて監視する制御要素の固定のセットを含み得る。場合によっては、基地局は、ＳＩＢ−ＭＦ１許可とＣ−ＰＤＣＣＨとのためのリソースをハードコーディングし得る。代替として、基地局は、ＭＩＢ中の予約済みビットを介してＳＩＢ−ＭＦ１許可とＣ−ＰＤＣＣＨとの各々のためのリソースをシグナリングし得る。
2020534744.tif 000002
【特許請求の範囲】
【請求項１】
ワイヤレス通信のための方法であって、
基地局から、マスタ情報ブロック（ＭＩＢ）を受信することと、
前記ＭＩＢに少なくとも部分的に基づいて、物理ダウンリンク制御チャネル（ＰＤＣＣＨ）のための共通探索空間を決定することと、
前記共通探索空間の制御チャネル要素のセットを監視することと、
制御チャネル要素の前記監視されたセットに少なくとも部分的に基づいてシステム情報ブロック（ＳＩＢ）許可を復号することと、ここにおいて、前記ＳＩＢ許可は、マルチファイア  ＳＩＢ（ＳＩＢ−ＭＦ１）許可である、
を備える、方法。
【請求項２】
制御チャネル要素の前記監視されたセットに少なくとも部分的に基づいて共通ＰＤＣＣＨ（Ｃ−ＰＤＣＣＨ）を復号すること
をさらに備える、請求項１に記載の方法。
【請求項３】
前記ＭＩＢを受信することは、
前記ＭＩＢに対応するビットのセットを受信すること、ここにおいて、前記共通探索空間は、ビットの前記セットに少なくとも部分的に基づいて決定される、
を備える、請求項１に記載の方法。
【請求項４】
ビットの前記セットの少なくとも一部分が、拡張ＰＤＣＣＨ（ｅＰＤＣＣＨ）の送信モードを示す、請求項３に記載の方法。
【請求項５】
ビットの前記セットに少なくとも部分的に基づいて前記ＳＩＢ−ＭＦ１許可のロケーションを決定すること
をさらに備える、請求項４に記載の方法。
【請求項６】
前記ｅＰＤＣＣＨの前記送信モードが、分散送信モードまたは局所送信モードのうちの１つを備える、請求項４に記載の方法。
【請求項７】
前記決定された共通探索空間と重複する第２の共通探索空間を識別すること
をさらに備える、請求項１に記載の方法。
【請求項８】
前記第２の共通探索空間を識別することが、
前記決定された共通探索空間に少なくとも部分的に基づいて前記ＳＩＢ−ＭＦ１許可を復号することと、
前記復号されたＳＩＢ−ＭＦ１許可によってスケジュールされたＳＩＢ−ＭＦ１ペイロードに少なくとも部分的に基づいて前記第２の共通探索空間のリソース割振りを決定することと
を備える、請求項７に記載の方法。
【請求項９】
前記第２の共通探索空間が、タイプ−１ダウンリンク制御情報（ＤＣＩ）に関連付けられ、前記決定された共通探索空間が、タイプ−０ダウンリンク制御情報（ＤＣＩ）に関連付けられる、請求項７に記載の方法。
【請求項１０】
前記共通探索空間に少なくとも部分的に基づいてシステム情報ブロック（ＳＩＢ）、ランダムアクセスメッセージ、ページングメッセージ、送信電力制御（ＴＰＣ）メッセージ、またはそれらの組合せを受信すること
をさらに備える、請求項１に記載の方法。
【請求項１１】
制御チャネル要素の前記セットが固定のセットである、請求項１に記載の方法。
【請求項１２】
ワイヤレス通信のための方法であって、
拡張物理ダウンリンク制御チャネル（ｅＰＤＣＣＨ）のための共通探索空間を識別することと、
共通物理ダウンリンク制御チャネル（Ｃ−ＰＤＣＣＨ）に前記共通探索空間内の制御チャネル要素の第１のセットを割り振ることと、
ユーザ機器（ＵＥ）に、制御チャネル要素の前記割り振られたセットを介してダウンリンク制御情報（ＤＣＩ）を送信することと
を備える、方法。
【請求項１３】
システム情報ブロック（ＳＩＢ）、マルチファイア  ＳＩＢ（ＳＩＢ−ＭＦ１）許可、ランダムアクセスメッセージ、ページングメッセージ、送信電力制御（ＴＰＣ）メッセージ、またはそれらの組合せに前記共通探索空間内の制御要素の第２のセットを割り振ること
をさらに備える、請求項１２に記載の方法。
【請求項１４】
前記識別された共通探索空間と重複する第２の共通探索空間を識別すること、ここにおいて、前記第２の共通探索空間が、タイプ−１  ＤＣＩに関連付けられ、前記識別された共通探索空間が、タイプ−０  ＤＣＩに関連付けられる、
をさらに備える、請求項１２に記載の方法。
【請求項１５】
前記Ｃ−ＰＤＣＣＨ、マルチファイアシステム情報ブロック（ＳＩＢ−ＭＦ１）許可、前記ｅＰＤＣＣＨの送信モード、またはそれらの組合せについての情報を示すマスタ情報ブロック（ＭＩＢ）を送信すること
をさらに備える、請求項１２に記載の方法。
【請求項１６】
前記ＭＩＢのビットのセットが前記ｅＰＤＣＣＨの前記送信モードを示す、請求項１５に記載の方法。
【請求項１７】
ワイヤレス通信のための装置であって、
基地局から、マスタ情報ブロック（ＭＩＢ）を受信するための手段と、
前記ＭＩＢに少なくとも部分的に基づいて、物理ダウンリンク制御チャネル（ＰＤＣＣＨ）のための共通探索空間を決定するための手段と、
前記共通探索空間の制御チャネル要素のセットを監視するための手段と、
制御チャネル要素の前記監視されたセットに少なくとも部分的に基づいてシステム情報ブロック（ＳＩＢ）許可を復号するための手段と、ここにおいて、前記ＳＩＢ許可は、マルチファイア  ＳＩＢ（ＳＩＢ−ＭＦ１）許可である、
を備える、装置。
【請求項１８】
制御チャネル要素の前記監視されたセットに少なくとも部分的に基づいて共通ＰＤＣＣＨ（Ｃ−ＰＤＣＣＨ）を復号するための手段
をさらに備える、請求項１７に記載の装置。
【請求項１９】
前記ＭＩＢを受信するための前記手段は、
前記ＭＩＢに対応するビットのセットを受信するための手段、ここにおいて、前記共通探索空間は、ビットの前記セットに少なくとも部分的に基づいて決定される、
を備える、請求項１７に記載の装置。
【請求項２０】
ビットの前記セットの少なくとも一部分が、拡張ＰＤＣＣＨ（ｅＰＤＣＣＨ）の送信モードを示す、請求項１９に記載の装置。
【請求項２１】
ビットの前記セットに少なくとも部分的に基づいて前記ＳＩＢ−ＭＦ１許可のロケーションを決定するための手段
をさらに備える、請求項２０に記載の装置。
【請求項２２】
前記ｅＰＤＣＣＨの前記送信モードが、分散送信モードまたは局所送信モードのうちの１つを備える、請求項２０に記載の装置。
【請求項２３】
前記決定された共通探索空間と重複する第２の共通探索空間を識別するための手段
をさらに備える、請求項１７に記載の装置。
【請求項２４】
前記第２の共通探索空間を識別するための前記手段が、
前記決定された共通探索空間に少なくとも部分的に基づいて前記ＳＩＢ−ＭＦ１許可を復号するための手段と、
前記復号されたＳＩＢ−ＭＦ１許可によってスケジュールされたＳＩＢ−ＭＦ１ペイロードに少なくとも部分的に基づいて前記第２の共通探索空間のリソース割振りを決定するための手段と
を備える、請求項２３に記載の装置。
【請求項２５】
前記第２の共通探索空間が、タイプ−１ダウンリンク制御情報（ＤＣＩ）に関連付けられ、前記決定された共通探索空間が、タイプ−０ダウンリンク制御情報（ＤＣＩ）に関連付けられる、請求項２３に記載の装置。
【請求項２６】
前記共通探索空間に少なくとも部分的に基づいてシステム情報ブロック（ＳＩＢ）、ランダムアクセスメッセージ、ページングメッセージ、送信電力制御（ＴＰＣ）メッセージ、またはそれらの組合せを受信するための手段
をさらに備える、請求項１７に記載の装置。
【請求項２７】
制御チャネル要素の前記セットが固定のセットである、請求項１７に記載の装置。
【請求項２８】
ワイヤレス通信のための装置であって、
拡張物理ダウンリンク制御チャネル（ｅＰＤＣＣＨ）のための共通探索空間を識別するための手段と、
共通物理ダウンリンク制御チャネル（Ｃ−ＰＤＣＣＨ）に前記共通探索空間内の制御チャネル要素の第１のセットを割り振るための手段と、
ユーザ機器（ＵＥ）に、制御チャネル要素の前記割り振られたセットを介してダウンリンク制御情報（ＤＣＩ）を送信するための手段と
を備える、装置。
【請求項２９】
システム情報ブロック（ＳＩＢ）、マルチファイア  ＳＩＢ（ＳＩＢ−ＭＦ１）許可、ランダムアクセスメッセージ、ページングメッセージ、送信電力制御（ＴＰＣ）メッセージ、またはそれらの組合せに前記共通探索空間内の制御要素の第２のセットを割り振るための手段
をさらに備える、請求項２８に記載の装置。
【請求項３０】
前記識別された共通探索空間と重複する第２の共通探索空間を識別するための手段、ここにおいて、前記第２の共通探索空間が、タイプ−１  ＤＣＩに関連付けられ、前記識別された共通探索空間が、タイプ−０  ＤＣＩに関連付けられる、
をさらに備える、請求項２８に記載の装置。
【請求項３１】
前記Ｃ−ＰＤＣＣＨ、マルチファイアシステム情報ブロック（ＳＩＢ−ＭＦ１）許可、前記ｅＰＤＣＣＨの送信モード、またはそれらの組合せについての情報を示すマスタ情報ブロック（ＭＩＢ）を送信するための手段
をさらに備える、請求項２８に記載の装置。
【請求項３２】
前記ＭＩＢのビットのセットが前記ｅＰＤＣＣＨの送信モードを示す、請求項３１に記載の装置。
【請求項３３】
ワイヤレス通信のための装置であって、
プロセッサと、
前記プロセッサと電子通信しているメモリと、
前記メモリに記憶された命令と
を備え、前記命令は、前記プロセッサによって実行されたとき、前記装置に、
基地局から、マスタ情報ブロック（ＭＩＢ）を受信することと、
前記ＭＩＢに少なくとも部分的に基づいて、物理ダウンリンク制御チャネル（ＰＤＣＣＨ）のための共通探索空間を決定することと、
前記共通探索空間の制御チャネル要素のセットを監視することと、
制御チャネル要素の前記監視されたセットに少なくとも部分的に基づいてシステム情報ブロック（ＳＩＢ）許可を復号することと、ここにおいて、前記ＳＩＢ許可は、マルチファイア  ＳＩＢ（ＳＩＢ−ＭＦ１）許可である、
を行わせるように動作可能である、装置。
【請求項３４】
前記命令が、
制御チャネル要素の前記監視されたセットに少なくとも部分的に基づいて共通ＰＤＣＣＨ（Ｃ−ＰＤＣＣＨ）を復号すること
を行うように前記プロセッサによってさらに実行可能である、請求項３３に記載の装置。
【請求項３５】
前記ＭＩＢを受信するように前記プロセッサによって実行可能な前記命令は、
前記ＭＩＢに対応するビットのセットを受信すること、ここにおいて、前記共通探索空間は、ビットの前記セットに少なくとも部分的に基づいて決定される、
を行うように前記プロセッサによって実行可能な命令をさらに備える、請求項３３に記載の装置。
【請求項３６】
ビットの前記セットの少なくとも一部分が、拡張ＰＤＣＣＨ（ｅＰＤＣＣＨ）の送信モードを示す、請求項３５に記載の装置。
【請求項３７】
前記命令が、
ビットの前記セットに少なくとも部分的に基づいて前記ＳＩＢ−ＭＦ１許可のロケーションを決定すること
を行うように前記プロセッサによってさらに実行可能である、請求項３６に記載の装置。
【請求項３８】
前記ｅＰＤＣＣＨの前記送信モードが、分散送信モードまたは局所送信モードのうちの１つを備える、請求項３６に記載の装置。
【請求項３９】
前記命令が、
前記決定された共通探索空間と重複する第２の共通探索空間を識別すること
を行うように前記プロセッサによってさらに実行可能である、請求項３３に記載の装置。
【請求項４０】
前記第２の共通探索空間を識別するように前記プロセッサによって実行可能な前記命令は、
前記決定された共通探索空間に少なくとも部分的に基づいて前記ＳＩＢ−ＭＦ１許可を復号することと、
前記復号されたＳＩＢ−ＭＦ１許可によってスケジュールされたＳＩＢ−ＭＦ１ペイロードに少なくとも部分的に基づいて前記第２の共通探索空間のリソース割振りを決定することと
を行うように前記プロセッサによって実行可能な命令をさらに備える、請求項３９に記載の装置。
【請求項４１】
前記第２の共通探索空間が、タイプ−１ダウンリンク制御情報（ＤＣＩ）に関連付けられ、前記決定された共通探索空間が、タイプ−０ダウンリンク制御情報（ＤＣＩ）に関連付けられる、請求項３９に記載の装置。
【請求項４２】
前記命令が、
前記共通探索空間に少なくとも部分的に基づいてシステム情報ブロック（ＳＩＢ）、ランダムアクセスメッセージ、ページングメッセージ、送信電力制御（ＴＰＣ）メッセージ、またはそれらの組合せを受信すること
を行うように前記プロセッサによってさらに実行可能である、請求項３３に記載の装置。
【請求項４３】
制御チャネル要素の前記セットが固定のセットである、請求項３３に記載の装置。
【請求項４４】
ワイヤレス通信のための装置であって、
プロセッサと、
前記プロセッサと電子通信しているメモリと、
前記メモリに記憶された命令と
を備え、前記命令は、前記プロセッサによって実行されたとき、前記装置に、
拡張物理ダウンリンク制御チャネル（ｅＰＤＣＣＨ）のための共通探索空間を識別することと、
共通物理ダウンリンク制御チャネル（Ｃ−ＰＤＣＣＨ）に前記共通探索空間内の制御チャネル要素の第１のセットを割り振ることと、
ユーザ機器（ＵＥ）に、制御チャネル要素の前記割り振られたセットを介してダウンリンク制御情報（ＤＣＩ）を送信することと
を行わせるように動作可能である、装置。
【請求項４５】
前記命令が、
システム情報ブロック（ＳＩＢ）、マルチファイア  ＳＩＢ（ＳＩＢ−ＭＦ１）許可、ランダムアクセスメッセージ、ページングメッセージ、送信電力制御（ＴＰＣ）メッセージ、またはそれらの組合せに前記共通探索空間内の制御要素の第２のセットを割り振ること
を行うように前記プロセッサによってさらに実行可能である、請求項４４に記載の装置。
【請求項４６】
前記命令が、
前記識別された共通探索空間と重複する第２の共通探索空間を識別すること、ここにおいて、前記第２の共通探索空間が、タイプ−１  ＤＣＩに関連付けられ、前記識別された共通探索空間が、タイプ−０ダウンリンク制御ＤＣＩに関連付けられる、
を行うように前記プロセッサによってさらに実行可能である、請求項４４に記載の装置。
【請求項４７】
前記命令が、
前記Ｃ−ＰＤＣＣＨ、マルチファイアシステム情報ブロック（ＳＩＢ−ＭＦ１）許可、前記ｅＰＤＣＣＨの送信モード、またはそれらの組合せについての情報を示すマスタ情報ブロック（ＭＩＢ）を送信すること
を行うように前記プロセッサによってさらに実行可能である、請求項４４に記載の装置。
【請求項４８】
前記ＭＩＢのビットのセットが前記ｅＰＤＣＣＨの前記送信モードを示す、請求項４７に記載の装置。
【請求項４９】
ワイヤレス通信のためのコードを記憶する非一時的コンピュータ可読媒体であって、前記コードが、
基地局から、マスタ情報ブロック（ＭＩＢ）を受信することと、
前記ＭＩＢに少なくとも部分的に基づいて、物理ダウンリンク制御チャネル（ＰＤＣＣＨ）のための共通探索空間を決定することと、
前記共通探索空間の制御チャネル要素のセットを監視することと、
制御チャネル要素の前記監視されたセットに少なくとも部分的に基づいてシステム情報ブロック（ＳＩＢ）許可を復号することと、ここにおいて、前記ＳＩＢ許可は、マルチファイア  ＳＩＢ（ＳＩＢ−ＭＦ１）許可である、
を行うようにプロセッサによって実行可能な命令を備える、非一時的コンピュータ可読媒体。
【請求項５０】
前記命令が、
制御チャネル要素の前記監視されたセットに少なくとも部分的に基づいて共通ＰＤＣＣＨ（Ｃ−ＰＤＣＣＨ）を復号すること
を行うように前記プロセッサによってさらに実行可能である、請求項４９に記載の非一時的コンピュータ可読媒体。
【請求項５１】
前記ＭＩＢを受信するように前記プロセッサによって実行可能な前記命令が、
前記ＭＩＢに対応するビットのセットを受信すること、ここにおいて、前記共通探索空間は、ビットの前記セットに少なくとも部分的に基づいて決定される、
を行うように前記プロセッサによって実行可能な命令をさらに備える、請求項４９に記載の非一時的コンピュータ可読媒体。
【請求項５２】
ビットの前記セットの少なくとも一部分が、拡張ＰＤＣＣＨ（ｅＰＤＣＣＨ）の送信モードを示す、請求項５１に記載の非一時的コンピュータ可読媒体。
【請求項５３】
前記命令が、
ビットの前記セットに少なくとも部分的に基づいて前記ＳＩＢ−ＭＦ１許可のロケーションを決定すること
を行うように前記プロセッサによってさらに実行可能である、請求項５２に記載の非一時的コンピュータ可読媒体。
【請求項５４】
前記ｅＰＤＣＣＨの前記送信モードが、分散送信モードまたは局所送信モードのうちの１つを備える、請求項５２に記載の非一時的コンピュータ可読媒体。
【請求項５５】
前記命令が、
前記決定された共通探索空間と重複する第２の共通探索空間を識別すること
を行うように前記プロセッサによってさらに実行可能である、請求項４９に記載の非一時的コンピュータ可読媒体。
【請求項５６】
前記第２の共通探索空間を識別するように前記プロセッサによって実行可能な前記命令が、
前記決定された共通探索空間に少なくとも部分的に基づいて前記ＳＩＢ−ＭＦ１許可を復号することと、
前記復号されたＳＩＢ−ＭＦ１許可によってスケジュールされたＳＩＢ−ＭＦ１ペイロードに少なくとも部分的に基づいて前記第２の共通探索空間のリソース割振りを決定することと
を行うように前記プロセッサによって実行可能な命令をさらに備える、請求項５５に記載の非一時的コンピュータ可読媒体。
【請求項５７】
前記第２の共通探索空間が、タイプ−１ダウンリンク制御情報（ＤＣＩ）に関連付けられ、前記決定された共通探索空間が、タイプ−０ダウンリンク制御情報（ＤＣＩ）に関連付けられる、請求項５５に記載の非一時的コンピュータ可読媒体。
【請求項５８】
前記命令が、
前記共通探索空間に少なくとも部分的に基づいてシステム情報ブロック（ＳＩＢ）、ランダムアクセスメッセージ、ページングメッセージ、送信電力制御（ＴＰＣ）メッセージ、またはそれらの組合せを受信すること
を行うように前記プロセッサによってさらに実行可能である、請求項４９に記載の非一時的コンピュータ可読媒体。
【請求項５９】
制御チャネル要素の前記セットが固定のセットである、請求項４９に記載の非一時的コンピュータ可読媒体。
【請求項６０】
ワイヤレス通信のためのコードを記憶する非一時的コンピュータ可読媒体であって、前記コードが、
拡張物理ダウンリンク制御チャネル（ｅＰＤＣＣＨ）のための共通探索空間を識別することと、
共通物理ダウンリンク制御チャネル（Ｃ−ＰＤＣＣＨ）に前記共通探索空間内の制御チャネル要素の第１のセットを割り振ることと、
ユーザ機器（ＵＥ）に、制御チャネル要素の前記割り振られたセットを介してダウンリンク制御情報（ＤＣＩ）を送信することと
を行うようにプロセッサによって実行可能な命令を備える、非一時的コンピュータ可読媒体。
【請求項６１】
前記命令が、
システム情報ブロック（ＳＩＢ）、マルチファイア  ＳＩＢ（ＳＩＢ−ＭＦ１）許可、ランダムアクセスメッセージ、ページングメッセージ、送信電力制御（ＴＰＣ）メッセージ、またはそれらの組合せに前記共通探索空間内の制御要素の第２のセットを割り振ること
を行うように前記プロセッサによってさらに実行可能である、請求項６０に記載の非一時的コンピュータ可読媒体。
【請求項６２】
前記命令が、
前記識別された共通探索空間と重複する第２の共通探索空間を識別すること、ここにおいて、前記第２の共通探索空間が、タイプ−１  ＤＣＩに関連付けられ、前記識別された共通探索空間が、タイプ−０  ＤＣＩに関連付けられる、
を行うように前記プロセッサによってさらに実行可能である、請求項６０に記載の非一時的コンピュータ可読媒体。
【請求項６３】
前記命令が、
前記Ｃ−ＰＤＣＣＨ、マルチファイアシステム情報ブロック（ＳＩＢ−ＭＦ１）許可、前記ｅＰＤＣＣＨの送信モード、またはそれらの組合せについての情報を示すマスタ情報ブロック（ＭＩＢ）を送信すること
を行うように前記プロセッサによってさらに実行可能である、請求項６０に記載の非一時的コンピュータ可読媒体。
【請求項６４】
前記ＭＩＢのビットのセットが前記ｅＰＤＣＣＨの送信モードを示す、請求項６３に記載の非一時的コンピュータ可読媒体。
【発明の詳細な説明】
【技術分野】
【０００１】
相互参照
[0001]  本特許出願は、各々が本出願の譲受人に譲渡され、その全体が参照により明確に組み込まれる、２０１８年７月１９日に出願された、「Ｃｏｍｍｏｎ  Ｓｅａｒｃｈ  Ｓｐａｃｅ  Ｄｅｓｉｇｎ  ｆｏｒ  Ｃｏｖｅｒａｇｅ  Ｅｎｈａｎｃｅｍｅｎｔ  ｉｎ  Ｗｉｒｅｌｅｓｓ  Ｃｏｍｍｕｎｉｃａｔｉｏｎｓ」と題するＬｉｕらによる米国特許出願第１６／０４０，０９８号、および２０１７年９月１８日に出願された、「Ｃｏｍｍｏｎ  Ｓｅａｒｃｈ  Ｓｐａｃｅ  Ｄｅｓｉｇｎ  ｆｏｒ  Ｃｏｖｅｒａｇｅ  Ｅｎｈａｎｃｅｍｅｎｔｓ  ｉｎ  Ｗｉｒｅｌｅｓｓ  Ｃｏｍｍｕｎｉｃａｔｉｏｎｓ」と題するＬｉｕらによる米国仮特許出願第６２／５６０，０９２号の優先権を主張する。
【０００２】
[0002]  以下は、一般にワイヤレス通信（wireless communication）に関し、より詳細には、ワイヤレス通信におけるカバレージ拡張（coverage enhancement）のための共通探索空間設計（common search space design）に関する。
【背景技術】
【０００３】
[0003]  ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能であり得る。そのような多元接続システムの例は、ロングタームエボリューション（ＬＴＥ（登録商標））システムまたはＬＴＥアドバンスト（ＬＴＥ−Ａ）システムなどの第４世代（４Ｇ）システムおよび新無線（ＮＲ：New Radio）システムと呼ばれることがある第５世代（５Ｇ）システムを含む。これらのシステムは、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、または離散フーリエ変換拡散ＯＦＤＭ（ＤＦＴ−Ｓ−ＯＦＤＭ）などの技術を採用し得る。ワイヤレス多元接続通信システム（wireless multiple-access communications system）は、場合によってはユーザ機器（ＵＥ：user equipment）として知られていることがある、複数の通信デバイスのための通信を各々が同時にサポートする、いくつかの基地局（base station）またはネットワークアクセスノード（network access node）を含み得る。
【０００４】
[0004]  新生の無線アクセス技術（ＲＡＴ：radio access technology）またはワイヤレス通信規格の一例は、マルチファイア（MulteFire）  ＲＡＴであり、このマルチファイア  ＲＡＴでは、基地局とＵＥとの間のスタンドアロン接続が共有無線周波数スペクトル（たとえば、無認可無線周波数スペクトル）を使用して確立され得る。場合によっては、基地局は、物理ダウンリンク制御チャネル（ＰＤＣＣＨ：physical downlink control channel）において、ＵＥまたはＵＥのグループのための送信リソース割当てと、他の制御情報とを送信し得る。ＰＤＣＣＨは、ページング情報、システム情報、ランダムアクセス情報、電力制御情報などの情報を示し得る。しかしながら、いくつかのワイヤレス通信システムは、ＰＤＣＣＨ情報のために予約された限られた数のリソース（resource）内の共通探索空間（common search space）についての情報を含み得る。
【発明の概要】
【０００５】
[0005]  説明される技法は、ワイヤレス通信におけるカバレージ拡張のための共通探索空間設計をサポートする改善された方法、システム、デバイス、または装置に関する。概して、説明される技法は、拡張物理ダウンリンク制御チャネル（ｅＰＤＣＣＨ：enhanced physical downlink control channel）のための第１の共通探索空間を識別する（identify）ことと、マスタ情報ブロック（ＭＩＢ：master information block）を介して第１の共通探索空間の指示を通信することとを提供する。ユーザ機器（ＵＥ）は、制御要素（control element）のセットを監視し得、制御チャネル要素（control channel element）の監視されたセットに基づいてシステム情報ブロック（ＳＩＢ：system information block）許可（grant）（たとえば、マルチファイア  ＳＩＢ（ＳＩＢ−ＭＦ１）許可）を復号し得る。場合によっては、第１の共通探索空間は、共通ＰＤＣＣＨ（Ｃ−ＰＤＣＣＨ）に関連付けられ得、ＵＥは、Ｃ−ＰＤＣＣＨを復号し得る。第１の共通探索空間のサイズ、ｅＰＤＣＣＨの送信モード（transmission mode）、またはそれらの組合せは、ＭＩＢ内で受信されたビット（bit）のセットに基づき得る。リソースは、第１の共通探索空間のサイズに基づいてＣ−ＰＤＣＣＨ、ＳＩＢ−ＭＦ１許可、またはそれらの組合せに割り振られ得る。ｅＰＤＣＣＨの送信モードは、分散送信モード（distributed transmission mode）または局所送信モード（localized transmission mode）を含み得る。第２の共通探索空間は、第１の共通探索空間に基づいて決定され得る。第２の探索空間のためのリソースは、ｅＰＤＣＣＨ中でＳＩＢ−ＭＦ１許可によって示され得るＳＩＢ−ＭＦ１ペイロード（payload）のコンテンツに従って割り振られ得る。第２の共通探索空間（second common search space）は、タイプ−１  ダウンリンク制御情報（ＤＣＩ：downlink control information）に関連付けられ得、第１の共通探索空間は、タイプ−０  ＤＣＩに関連付けられ得る。ＳＩＢ、ランダムアクセスメッセージ（random access message）、ページングメッセージ（paging message）、送信電力制御（ＴＰＣ：transmit power control）メッセージ、またはそれらの組合せも示され、第１または第２の共通探索空間に基づき得る。監視された制御要素のセットは、固定のセット（fixed set）であり得る。
【０００６】
[0006]  ワイヤレス通信の方法について説明する。本方法は、基地局から、ＭＩＢを受信することと、ＭＩＢに基づいて、ＰＤＣＣＨのための共通探索空間を決定すること（determining）と、共通探索空間の制御チャネル要素のセットを監視する（monitor）ことと、制御要素の監視されたセットに基づいてＳＩＢ許可（たとえば、ＳＩＢ−ＭＦ１許可）を復号する（decode）こととを含み得る。場合によっては、制御チャネル要素のセットは、Ｃ−ＰＤＣＣＨに関連付けられ得、Ｃ−ＰＤＣＣＨは、制御チャネル要素の監視されたセットに基づいて復号され得る。
【０００７】
[0007]  ワイヤレス通信のための装置について説明する。本装置は、基地局から、ＭＩＢを受信するため手段と、ＭＩＢに基づいて、ＰＤＣＣＨのための共通探索空間を決定するため手段と、共通探索空間の制御チャネル要素のセットを監視するため手段と、制御要素の監視されたセットに基づいてＳＩＢ許可（たとえば、ＳＩＢ−ＭＦ１許可）を復号するため手段とを含み得る。場合によっては、制御チャネル要素のセットは、Ｃ−ＰＤＣＣＨに関連付けられ得、本装置は、制御チャネル要素の監視されたセットに基づいてＣ−ＰＤＣＣＨを復号するための手段を含み得る。
【０００８】
[0008]  ワイヤレス通信のための別の装置について説明する。本装置は、プロセッサ（processor）と、プロセッサと電子通信しているメモリ（memory）と、メモリに記憶された命令（instruction）とを含み得る。命令は、基地局から、ＭＩＢを受信することと、ＭＩＢに基づいて、ＰＤＣＣＨのための共通探索空間を決定することと、共通探索空間の制御チャネル要素のセットを監視することと、制御チャネル要素の監視されたセットに基づいてＳＩＢ許可（たとえば、ＳＩＢ−ＭＦ１許可）を復号することとをプロセッサに行わせるように動作可能であり得る。場合によっては、制御チャネル要素のセットは、Ｃ−ＰＤＣＣＨに関連付けられ得、命令は、制御チャネル要素の監視されたセットに基づいてＣ−ＰＤＣＣＨを復号することをプロセッサに行わせるように動作可能であり得る。
【０００９】
[0009]  ワイヤレス通信のための非一時的コンピュータ可読媒体（non-transitory computer readable medium）について説明する。非一時的コンピュータ可読媒体は、基地局から、ＭＩＢを受信することと、ＭＩＢに基づいて、ＰＤＣＣＨのための共通探索空間を決定することと、共通探索空間の制御チャネル要素のセットを監視することと、制御要素の監視されたセットに基づいてＳＩＢ許可（たとえば、ＳＩＢ−ＭＦ１許可）を復号することとをプロセッサに行わせるように動作可能な命令を含み得る。場合によっては、制御チャネル要素のセットは、Ｃ−ＰＤＣＣＨに関連付けられ得、非一時的コンピュータ可読媒体は、制御チャネル要素の監視されたセットに基づいてＣ−ＰＤＣＣＨを復号することをプロセッサに行わせるように動作可能な命令を含み得る。
【００１０】
[0010]  上記で説明された方法、装置、および非一時的コンピュータ可読媒体のいくつかの例は、制御チャネル要素の監視されたセットに基づいてＳＩＢ許可を復号すること、ここで、ＳＩＢ許可は、ＳＩＢ−ＭＦ１許可であり得る、を行うためのプロセス、特徴、手段、または命令をさらに含み得る。
【００１１】
[0011]  上記で説明された方法、装置、および非一時的コンピュータ可読媒体のいくつかの例では、ＭＩＢを受信することは、ＭＩＢに対応するビットのセットを受信すること、ここで、共通探索空間は、ビットのセットに基づいて決定され得る、を行うことを含む。
【００１２】
[0012]  上記で説明された方法、装置、および非一時的コンピュータ可読媒体のいくつかの例では、ビットのセットの少なくとも一部分は、共通探索空間のサイズ、ｅＰＤＣＣＨの送信モード、またはそれらの組合せを示す。
【００１３】
[0013]  上記で説明された方法、装置、および非一時的コンピュータ可読媒体のいくつかの例は、ビットのセットに基づいてＳＩＢ−ＭＦ１許可のロケーション（location）を決定するためのプロセス、特徴、手段、または命令をさらに含み得る。
【００１４】
[0014]  上記で説明された方法、装置、および非一時的コンピュータ可読媒体のいくつかの例は、共通探索空間のサイズに基づいて、Ｃ−ＰＤＣＣＨのためのチャネル、Ｃ−ＰＤＣＣＨのためのリソース割振り（resource allocation）、ＳＩＢ−ＭＦ１許可のロケーション、またはそれらの組合せを決定するためのプロセス、特徴、手段、または命令をさらに含み得る。
【００１５】
[0015]  上記で説明された方法、装置、および非一時的コンピュータ可読媒体のいくつかの例では、ｅＰＤＣＣＨの送信モードは、分散送信モードまたは局所送信モードのうちの１つを含む。
【００１６】
[0016]  上記で説明された方法、装置、および非一時的コンピュータ可読媒体のいくつかの例は、決定された共通探索空間と重複（overlap）する第２の共通探索空間を識別するためのプロセス、特徴、手段、または命令をさらに含み得る。
【００１７】
[0017]  上記で説明された方法、装置、および非一時的コンピュータ可読媒体のいくつかの例では、第２の共通探索空間を識別することは、決定された共通探索空間に基づいてＳＩＢ−ＭＦ１許可を復号することを含む。上記で説明された方法、装置、および非一時的コンピュータ可読媒体のいくつかの例は、復号されたＳＩＢ−ＭＦ１許可によってスケジュールされたＳＩＢ−ＭＦ１ペイロードに基づいて第２の共通探索空間のリソース割振りを決定するためのプロセス、特徴、手段、または命令をさらに含み得る。
【００１８】
[0018]  上記で説明された方法、装置、および非一時的コンピュータ可読媒体のいくつかの例では、第２の共通探索空間は、タイプ−１  ＤＣＩに関連付けられ得、決定された共通探索空間は、タイプ−０  ＤＣＩに関連付けられ得る。
【００１９】
[0019]  上記で説明された方法、装置、および非一時的コンピュータ可読媒体のいくつかの例は、共通探索空間に基づいてＳＩＢ、ランダムアクセスメッセージ、ページングメッセージ、ＴＰＣメッセージ、またはそれらの組合せを受信するためのプロセス、特徴、手段、または命令をさらに含み得る。
【００２０】
[0020]  上記で説明された方法、装置、および非一時的コンピュータ可読媒体のいくつかの例では、制御チャネル要素のセットは、固定のセットであり得る。
【００２１】
[0021]  ワイヤレス通信の方法について説明する。本方法は、ｅＰＤＣＣＨのための共通探索空間を識別することと、Ｃ−ＰＤＣＣＨに共通探索空間内の制御チャネル要素の第１のセットを割り振る（allocate）ことと、ＵＥに、制御チャネル要素の割り振られたセットを介してＤＣＩを送信することとを含み得る。
【００２２】
[0022]  ワイヤレス通信のための装置について説明する。本装置は、ｅＰＤＣＣＨのための共通探索空間を識別するための手段と、Ｃ−ＰＤＣＣＨに共通探索空間内の制御チャネル要素の第１のセットを割り振るための手段と、ＵＥに、制御チャネル要素の割り振られたセットを介してＤＣＩを送信するための手段とを含み得る。
【００２３】
[0023]  ワイヤレス通信のための別の装置について説明する。本装置は、プロセッサと、プロセッサと電子通信しているメモリと、メモリに記憶された命令とを含み得る。命令は、ｅＰＤＣＣＨのための共通探索空間を識別することと、Ｃ−ＰＤＣＣＨに共通探索空間内の制御チャネル要素の第１のセットを割り振ることと、ＵＥに、制御チャネル要素の割り振られたセットを介してＤＣＩを送信することとをプロセッサに行わせるように動作可能であり得る。
【００２４】
[0024]  ワイヤレス通信のための非一時的コンピュータ可読媒体について説明する。非一時的コンピュータ可読媒体は、ｅＰＤＣＣＨのための共通探索空間を識別することと、Ｃ−ＰＤＣＣＨに共通探索空間内の制御チャネル要素の第１のセットを割り振ることと、ＵＥに、制御チャネル要素の割り振られたセットを介してＤＣＩを送信することとをプロセッサに行わせるように動作可能な命令を含み得る。
【００２５】
[0025]  上記で説明された方法、装置、および非一時的コンピュータ可読媒体のいくつかの例は、ＳＩＢ、ＳＩＢ−ＭＦ１許可、ランダムアクセスメッセージ、ページングメッセージ、ＴＰＣメッセージ、またはそれらの組合せに共通探索空間内の制御要素の第２のセットを割り振るためのプロセス、特徴、手段、または命令をさらに含み得る。
【００２６】
[0026]  上記で説明された方法、装置、および非一時的コンピュータ可読媒体のいくつかの例は、識別された共通探索空間と重複する第２の共通探索空間を識別すること、ここで、第２の共通探索空間が、タイプ−１  ＤＣＩに関連付けられ得、識別された共通探索空間が、タイプ−０  ＤＣＩに関連付けられ得る、を行うためのプロセス、特徴、手段、または命令をさらに含み得る。
【００２７】
[0027]  上記で説明された方法、装置、および非一時的コンピュータ可読媒体のいくつかの例は、Ｃ−ＰＤＣＣＨ、ＳＩＢ−ＭＦ１許可、ｅＰＤＣＣＨの送信モード、またはそれらの組合せについての情報を示すＭＩＢを送信するためのプロセス、特徴、手段、または命令をさらに含み得る。
【００２８】
[0028]  上記で説明された方法、装置、および非一時的コンピュータ可読媒体のいくつかの例では、ＭＩＢのビットのセットは、共通探索空間のサイズおよび／またはｅＰＤＣＣＨの送信モードを示す。
【図面の簡単な説明】
【００２９】
【図１】[0029]  本開示の態様による、ワイヤレス通信におけるカバレージ拡張のための共通探索空間設計をサポートするワイヤレス通信システムの一例を示す図。
【図２】[0030]  本開示の態様による、ワイヤレス通信におけるカバレージ拡張のための共通探索空間設計をサポートするワイヤレス通信システムの一例を示す図。
【図３】[0031]  本開示の態様による、ワイヤレス通信におけるカバレージ拡張のための共通探索空間設計をサポートするリソース割振りの一例を示す図。
【図４】[0032]  本開示の態様による、ワイヤレス通信におけるカバレージ拡張のための共通探索空間設計をサポートするリソース割振りの一例を示す図。
【図５】[0033]  本開示の態様による、ワイヤレス通信におけるカバレージ拡張のための共通探索空間設計をサポートするプロセスフローの一例を示す図。
【図６】[0034]  本開示の態様による、ワイヤレス通信におけるカバレージ拡張のための共通探索空間設計をサポートするデバイスのブロック図。
【図７】本開示の態様による、ワイヤレス通信におけるカバレージ拡張のための共通探索空間設計をサポートするデバイスのブロック図。
【図８】本開示の態様による、ワイヤレス通信におけるカバレージ拡張のための共通探索空間設計をサポートするデバイスのブロック図。
【図９】[0035]  本開示の態様による、ワイヤレス通信におけるカバレージ拡張のための共通探索空間設計をサポートするユーザ機器（ＵＥ）を含むシステムのブロック図。
【図１０】[0036]  本開示の態様による、ワイヤレス通信におけるカバレージ拡張のための共通探索空間設計をサポートするデバイスのブロック図。
【図１１】本開示の態様による、ワイヤレス通信におけるカバレージ拡張のための共通探索空間設計をサポートするデバイスのブロック図。
【図１２】本開示の態様による、ワイヤレス通信におけるカバレージ拡張のための共通探索空間設計をサポートするデバイスのブロック図。
【図１３】[0037]  本開示の態様による、ワイヤレス通信におけるカバレージ拡張のための共通探索空間設計をサポートする基地局を含むシステムのブロック図。
【図１４】[0038]  本開示の態様による、ワイヤレス通信におけるカバレージ拡張のための共通探索空間設計のための方法を示す図。
【図１５】本開示の態様による、ワイヤレス通信におけるカバレージ拡張のための共通探索空間設計のための方法を示す図。
【発明を実施するための形態】
【００３０】
[0039]  いくつかのワイヤレス通信システムでは、基地局は、（たとえば、セル捕捉（cell acquisition）中にまたはそれより前に）ユーザ機器（ＵＥ）にマスタ情報ブロック（ＭＩＢ）を送信し得る。場合によっては、基地局とＵＥとは、マルチファイア接続（MulteFire connection）を介して通信し得る。ＭＩＢは、システム帯域幅情報、システムフレーム番号（ＳＦＮ：system frame number）（たとえば、１０ビットのＳＦＮの最上位の８ビット）、物理ハイブリッドアクセス要求（ＨＡＲＱ）インジケータチャネル（ＰＨＩＣＨ）構成、基地局にある送信アンテナの数、またはセル捕捉に関係する他の制御情報などの基地局と通信するための情報を含み得る。場合によっては、ＭＩＢはまた、ネットワークをすでに取得したワイヤレスデバイス（wireless device）のための関連情報（たとえば、制御チャネルのフォーマット化についての更新）を含み得る。ＭＩＢは、物理ダウンリンク制御チャネル（ＰＤＣＣＨ）のための共通探索空間をさらに示し得る。共通探索空間は、基地局によってサービスされるすべてのＵＥによって監視され、制御チャネル要素（ＣＣＥ：control channel element）内にページング情報、システム情報、ランダムアクセスプロシージャ、電力制御情報などの情報を含み得る。場合によっては、ＰＤＣＣＨは、限定されたカバレージを生じるアグリゲーションレベル（aggregation level）（すなわち、ＣＣＥの繰返し数）に基づいて限定された信号対干渉比（ＳＩＮＲ：signal-to-interference ratio）を有し得る。さらに、ＰＤＣＣＨは、限られた数のスケジューリング許可（scheduling grant）をサポートし得る。
【００３１】
[0040]  基地局は、カバレージを改善するより高いアグリゲーションレベル（たとえば、６４）とより多数の許可（たとえば、マルチファイアシステム情報ブロック（ＳＩＢ−ＭＦ１）許可（MulteFire system information block (SIB-MF1) grant））とをサポートする制御チャネル（たとえば、拡張（enhanced）ＰＤＣＣＨ（ｅＰＤＣＣＨ））を利用し得る。より少数のＲＢが制御チャネルをサポートし得るように、制御チャネルは、各々が設定された数のＣＣＥ（たとえば、４つ）を含んでいるリソースブロック（ＲＢ：resource block）（たとえば、各々が６４のアグリゲーションレベルにおいてｅＰＤＣＣＨをサポートし得る４つのＣＣＥをもつ１６個のＲＢ）を含み得る。制御チャネルは、組み合わされたセット中での物理ＲＢペアと探索空間とをサポートし得る。さらに、制御チャネルは、セルＩＤによって復調基準信号（ＤＭＲＳ：demodulation reference signal）をスクランブルすることによって共通探索空間をサポートし得る。制御チャネルは、共通探索空間のための分離されたＲＢとＵＥ固有探索空間（UE-specific search space）のためのＲＢとをさらに含み得る。基地局は、（たとえば、共通ＰＤＣＣＨ（Ｃ−ＰＤＣＣＨ）中に）許可スケジューリング（grant scheduling）（たとえば、ＳＩＢ−ＭＦ１許可）またはフレーム構造シグナリングのための１つまたは複数の共通探索空間を定義し、ＭＩＢ内でのＵＥへの共通探索空間のためのリソース割振りをシグナリングし得る。
【００３２】
[0041]  場合によっては、各共通探索空間は、ＵＥがフレーム構造シグナリング（frame structure signaling）または許可スケジューリングを復号することについて監視するＣＣＥの固定のセットを含み得る。さらに、共通探索空間は、設定された数のＲＢ（たとえば、１６個のＲＢ）を含み得、ここで、ＲＢの第１のセットは、フレーム構造シグナリングに専用であり得る。追加または代替として、ＲＢの全セットは、（たとえば、ＳＩＢ−ＭＦ１許可を介して）許可スケジューリングのために利用され得る。代替として、共通探索空間が、いかなる許可スケジューリングもなしにサブフレーム中に発生する場合、ＲＢの第１のセットは、フレーム構造シグナリングに専用であり得、ＲＢは、許可スケジューリングのために利用されないことがある。場合によっては、基地局は、フレーム構造シグナリングおよび許可スケジューリングのためのＲＢをハードコーディング（hardcode）し得る。代替として、基地局は、ＭＩＢ中の予約済みビット（reserved bit）を介して共通探索空間内のフレーム構造シグナリングおよび／または許可スケジューリングの各々のためのＲＢをシグナリングし得る。
【００３３】
[0042]  基地局は、ランダムアクセスのための許可、ページング、システム情報（たとえば、システム情報ブロック（ＳＩＢ−Ｘ）、および送信電力制御（ＴＰＣ）などの追加情報のための追加の共通探索空間をさらにシグナリングし得る。追加の共通探索空間のリソース割振りは、初期の共通探索空間内の許可スケジューリングによって示され得る。場合によっては、追加の共通探索空間は、リソースを節約するために初期の共通探索空間と重複し得る。追加または代替として、基地局は、フレーム構造シグナリング、許可スケジューリング、または追加情報のために同じ共通探索空間を利用し得る。
【００３４】
[0043]  本開示の態様について、初めにワイヤレス通信システムのコンテキストで説明する。次いで、共通探索空間および許可スケジューリングのためのリソース割振りの例について説明する。本開示の態様を、ワイヤレス通信におけるカバレージ拡張のための共通探索空間設計に関する装置図、システム図、およびフローチャートによってさらに示し、それらを参照しながら説明する。
【００３５】
[0044]  図１に、本開示の様々な態様によるワイヤレス通信システム１００の一例を示す。ワイヤレス通信システム１００は、基地局１０５と、ＵＥ１１５と、コアネットワーク１３０とを含む。いくつかの例では、ワイヤレス通信システム１００は、ロングタームエボリューション（ＬＴＥ）ネットワーク、ＬＴＥアドバンスト（ＬＴＥ−Ａ）ネットワーク、または新無線（ＮＲ）ネットワークであり得る。場合によっては、ワイヤレス通信システム１００は、拡張ブロードバンド通信、超高信頼（たとえば、ミッションクリティカル）通信、低レイテンシ通信、または低コストおよび低複雑度デバイスを用いた通信をサポートし得る。
【００３６】
[0045]  基地局１０５は、１つまたは複数の基地局アンテナを介してＵＥ１１５とワイヤレスに通信し得る。本明細書で説明される基地局１０５は、基地トランシーバ局、無線基地局、アクセスポイント、無線トランシーバ、ノードＢ、ｅノードＢ（ｅＮＢ）、（いずれもｇＮＢと呼ばれることがある）次世代ノードＢもしくはギガノードＢ、ホームノードＢ、ホームｅノードＢ、または何らかの他の好適な用語を含み得るか、または当業者によってそれらで呼ばれることがある。ワイヤレス通信システム１００は、異なるタイプの基地局１０５（たとえば、マクロセル基地局またはスモールセル基地局）を含み得る。本明細書で説明されるＵＥ１１５は、マクロｅＮＢ、スモールセルｅＮＢ、ｇＮＢ、リレー基地局などを含む様々なタイプの基地局１０５およびネットワーク機器と通信することが可能であり得る。
【００３７】
[0046]  各基地局１０５は、様々なＵＥ１１５との通信がサポートされ得る特定の地理的カバレージエリア（coverage area）１１０に関連付けられ得る。各基地局１０５は、通信リンク１２５を介してそれぞれの地理的カバレージエリア１１０に通信カバレージを与え得、基地局１０５とＵＥ１１５との間の通信リンク１２５は、１つまたは複数のキャリアを利用し得る。ワイヤレス通信システム１００に示されている通信リンク１２５は、ＵＥ１１５から基地局１０５へのアップリンク送信、または基地局１０５からＵＥ１１５へのダウンリンク送信を含み得る。ダウンリンク送信は順方向リンク送信と呼ばれることもあり、一方アップリンク送信は逆方向リンク送信と呼ばれることもある。
【００３８】
[0047]  基地局１０５のための地理的カバレージエリア１１０は、地理的カバレージエリア１１０の一部分のみを構成するセクタに分割され得、各セクタは、セルに関連付けられ得る。たとえば、各基地局１０５は、マクロセル、スモールセル、ホットスポット、もしくは他のタイプのセル、またはそれらの様々な組合せに通信カバレージを与え得る。いくつかの例では、基地局１０５は、移動可能であり、したがって、移動する地理的カバレージエリア１１０に通信カバレージを与え得る。いくつかの例では、異なる技術に関連付けられた異なる地理的カバレージエリア１１０が重複し得、異なる技術に関連付けられた重複する地理的カバレージエリア１１０は、同じ基地局１０５によってまたは異なる基地局１０５によってサポートされ得る。ワイヤレス通信システム１００は、異なるタイプの基地局１０５が様々な地理的カバレージエリア１１０にカバレージを与える、たとえば、異種ＬＴＥ／ＬＴＥ−ＡまたはＮＲネットワークを含み得る。
【００３９】
[0048]  「セル（cell）」という用語は、（たとえば、キャリアを介した）基地局１０５との通信のために使用される論理通信エンティティを指し、同じまたは異なるキャリアを介して動作する隣接セルを区別するための識別子（たとえば、物理セル識別子（ＰＣＩＤ）、仮想セル識別子（ＶＣＩＤ））に関連付けられ得る。いくつかの例では、キャリアは、複数のセルをサポートし得、異なるセルは、異なるタイプのデバイスにアクセスを与え得る異なるプロトコルタイプ（たとえば、マシン型通信（ＭＴＣ）、狭帯域モノのインターネット（ＮＢ−ＩｏＴ）、拡張モバイルブロードバンド（ｅＭＢＢ）など）に従って構成され得る。場合によっては、「セル」という用語は、論理エンティティが動作する地理的カバレージエリア１１０の一部分（たとえば、セクタ）を指すことがある。
【００４０】
[0049]  ＵＥ１１５は、ワイヤレス通信システム１００全体にわたって分散され得、各ＵＥ１１５は固定型または移動型であり得る。ＵＥ１１５は、モバイルデバイス、ワイヤレスデバイス、リモートデバイス、ハンドヘルドデバイス、もしくは加入者デバイス、または何らかの他の好適な用語で呼ばれることもあり、ここで、「デバイス」は、ユニット、局、端末、またはクライアントと呼ばれることもある。ＵＥ１１５はまた、セルラー電話、携帯情報端末（ＰＤＡ）、タブレットコンピュータ、ラップトップコンピュータ、またはパーソナルコンピュータなどのパーソナル電子デバイスであり得る。いくつかの例では、ＵＥ１１５はまた、器具、ビークル、メーターなどの様々な物品中に実装され得るワイヤレスローカルループ（ＷＬＬ）局、モノのインターネット（ＩｏＴ）デバイス、すべてのインターネット（ＩｏＥ）デバイス、またはＭＴＣデバイスなどを指すことがある。
【００４１】
[0050]  ＭＴＣデバイスまたはＩｏＴデバイスなど、いくつかのＵＥ１１５は、低コストまたは低複雑度デバイスであり得、（たとえば、マシンツーマシン（Ｍ２Ｍ）通信を介した）マシン間の自動通信を与え得る。Ｍ２Ｍ通信またはＭＴＣは、デバイスが人の介入なしに互いにまたは基地局１０５と通信することを可能にするデータ通信技術を指すことがある。いくつかの例では、Ｍ２Ｍ通信またはＭＴＣは、情報を測定もしくはキャプチャするためにセンサーもしくはメーターを組み込み、情報を利用することができる中央サーバもしくはアプリケーションプログラムにその情報を中継するか、またはプログラムもしくはアプリケーションと対話する人間に情報を提示する、デバイスからの通信を含み得る。いくつかのＵＥ１１５は、情報を集めるか、またはマシンの自動化された挙動を可能にするように設計され得る。ＭＴＣデバイスのための適用例の例は、スマートメータリング、インベントリ監視、水位監視、機器監視、ヘルスケア監視、野生生物監視、天候および地質学的事象監視、フリート管理およびトラッキング、リモートセキュリティ検知、物理的アクセス制御、ならびにトランザクションベースのビジネスの課金を含む。
【００４２】
[0051]  いくつかのＵＥ１１５は、半二重通信などの電力消費量を低減する動作モード（たとえば、送信と受信とを同時にではなく送信または受信を介した一方向通信をサポートするモード）を採用するように構成され得る。いくつかの例では、半二重通信は、低減されたピークレートで実行され得る。ＵＥ１１５のための他の電力節約技法は、アクティブ通信に従事していないときに電力節約する「ディープスリープ」モードに入ること、または（たとえば、狭帯域通信に従って）限定された帯域幅を介して動作することを含む。場合によっては、ＵＥ１１５は、重要な機能（たとえば、ミッションクリティカルな機能）をサポートするように設計され得、ワイヤレス通信システム１００は、これらの機能に超高信頼通信を与えるように構成され得る。
【００４３】
[0052]  場合によっては、ＵＥ１１５は、（たとえば、ピアツーピア（Ｐ２Ｐ）またはデバイス間（Ｄ２Ｄ）プロトコルを使用して）他のＵＥ１１５と直接通信することも可能であり得る。Ｄ２Ｄ通信を利用するＵＥ１１５のグループのうちの１つまたは複数は、基地局１０５の地理的カバレージエリア１１０内にあり得る。そのようなグループ中の他のＵＥ１１５は、基地局１０５の地理的カバレージエリア１１０外にあるか、またはさもなければ、基地局１０５からの送信を受信することができないことがある。いくつかの場合には、Ｄ２Ｄ通信を介して通信するＵＥ１１５のグループは、各ＵＥ１１５がグループ中のあらゆる他のＵＥ１１５に送信する１対多（１：Ｍ）システムを利用し得る。いくつかの場合には、基地局１０５が、Ｄ２Ｄ通信のためのリソースのスケジューリングを促進する。他の場合には、Ｄ２Ｄ通信は、基地局１０５の関与なしにＵＥ１１５との間で行われ得る。
【００４４】
[0053]  基地局１０５は、コアネットワーク１３０とおよび互いに通信し得る。たとえば、基地局１０５は、バックホールリンク（backhaul link）１３２を通して（たとえば、Ｓ１または他のインターフェースを介して）コアネットワーク１３０とインターフェースし得る。基地局１０５は、直接（たとえば、基地局１０５間で直接）または間接的に（たとえば、コアネットワーク１３０を介して）バックホールリンク１３４を介して（たとえば、Ｘ２または他のインターフェースを介して）互いに通信し得る。
【００４５】
[0054]  コアネットワーク１３０は、ユーザ認証と、アクセス許可と、トラッキングと、インターネットプロトコル（ＩＰ）接続性と、他のアクセス、ルーティング、またはモビリティ機能とを与え得る。コアネットワーク１３０は、少なくとも１つのモビリティ管理エンティティ（ＭＭＥ）と、少なくとも１つのサービングゲートウェイ（Ｓ−ＧＷ）と、少なくとも１つのパケットデータネットワーク（ＰＤＮ）ゲートウェイ（Ｐ−ＧＷ）とを含む場合がある発展型パケットコア（ＥＰＣ）であり得る。ＭＭＥは、ＥＰＣに関連付けられた基地局１０５によってサービスされるＵＥ１１５のためのモビリティ、認証、およびベアラ管理などの非アクセス層（たとえば、制御プレーン）機能を管理し得る。ユーザＩＰパケットはＳ−ＧＷを介して転送され得、Ｓ−ＧＷ自体はＰ−ＧＷに接続され得る。Ｐ−ＧＷはＩＰアドレス割振りならびに他の機能を与え得る。Ｐ−ＧＷはネットワーク事業者ＩＰサービスに接続され得る。事業者ＩＰサービスは、インターネット、イントラネット、ＩＰマルチメディアサブシステム（ＩＭＳ）、またはパケット交換（ＰＳ）ストリーミングサービスへのアクセスを含み得る。
【００４６】
[0055]  基地局１０５など、ネットワークデバイスのうちの少なくともいくつかは、アクセスノードコントローラ（ＡＮＣ）の一例であり得る、アクセスネットワークエンティティなど、副構成要素を含み得る。各アクセスネットワークエンティティは、無線ヘッド、スマート無線ヘッド、または送信／受信ポイント（ＴＲＰ）と呼ばれることがあるいくつかの他のアクセスネットワーク送信エンティティを通してＵＥ１１５と通信し得る。いくつかの構成では、各アクセスネットワークエンティティまたは基地局１０５の様々な機能は、様々なネットワークデバイス（たとえば、無線ヘッドおよびアクセスネットワークコントローラ）にわたって分散されるか、または単一のネットワークデバイス（たとえば、基地局１０５）に統合され得る。
【００４７】
[0056]  ワイヤレス通信システム１００は、一般に、３００ＭＨｚから３００ＧＨｚの範囲の１つまたは複数の周波数帯域を使用して動作し得る。概して、３００ＭＨｚから３ＧＨｚまでの領域は、波長が約１デシメートルから１メートルまでの長さの範囲にあるので、極超短波（ＵＨＦ）領域またはデシメートル帯域として知られている。ＵＨＦ波は、建築物および環境特徴によって阻止またはリダイレクトされ得る。しかしながら、波は、マクロセルが屋内に位置するＵＥ１１５にサービスを提供するために構造を十分に透過し得る。ＵＨＦ波の送信は、３００ＭＨｚを下回るスペクトルの高周波（ＨＦ）または超短波（ＶＨＦ）部分のより小さい周波数およびより長い波を使用する送信と比較してより小さいアンテナおよびより短い距離（たとえば、１００ｋｍ未満）に関連付けられ得る。
【００４８】
[0057]  ワイヤレス通信システム１００はまた、センチメートル帯域としても知られる３ＧＨｚから３０ＧＨｚまでの周波数帯域を使用して超高周波（ＳＨＦ）領域で動作し得る。ＳＨＦ領域は、他のユーザからの干渉を許容することができるデバイスによって機会主義的に使用され得る５ＧＨｚの産業科学医療用（ＩＳＭ：industrial, scientific, and medical）帯域などの帯域を含む。
【００４９】
[0058]  ワイヤレス通信システム１００はまた、ミリメートル帯域としても知られる（たとえば、３０ＧＨｚから３００ＧＨｚまでの）スペクトルの極高周波（ＥＨＦ）領域で動作し得る。いくつかの例では、ワイヤレス通信システム１００は、ＵＥ１１５と基地局１０５との間のミリメートル波（ｍｍＷ）通信をサポートし得、それぞれのデバイスのＥＨＦアンテナは、ＵＨＦアンテナよりもさらに小さく、さらに狭い間隔にあり得る。場合によっては、これは、ＵＥ１１５内でのアンテナアレイの使用を容易にし得る。しかしながら、ＥＨＦ送信の伝搬は、ＳＨＦまたはＵＨＦ送信よりも一層大きい大気減衰を受け、距離が短くなり得る。本明細書で開示する技法は、１つまたは複数の異なる周波数領域を使用する送信にわたって採用され得、これらの周波数領域にわたる帯域の指定された使用は、国または規制主体によって異なり得る。
【００５０】
[0059]  いくつかの場合には、ワイヤレス通信システム１００は、認可無線周波数スペクトル帯域（licensed radio frequency spectrum band）と無認可無線周波数スペクトル帯域（unlicensed radio frequency spectrum band）の両方を利用し得る。たとえば、ワイヤレス通信システム１００は、５ＧＨｚのＩＳＭ帯域などの無認可帯域中でライセンス支援型アクセス（ＬＡＡ：License Assisted Access）、ＬＴＥ−無認可（ＬＴＥ−Ｕ）無線アクセス技術またはＮＲ技術を採用し得る。無認可無線周波数スペクトル帯域中で動作するとき、基地局１０５およびＵＥ１１５などのワイヤレスデバイスは、データを送信する前に周波数チャネルがクリアであることを保証するために、リッスンビフォアトーク（ＬＢＴ：listen-before-talk）プロシージャを採用し得る。場合によっては、無認可帯域中の動作は、認可帯域（たとえば、ＬＡＡ）中で動作するＣＣとともに、ＣＡ構成に基づき得る。無認可スペクトルにおける動作は、ダウンリンク送信、アップリンク送信、ピアツーピア送信、またはこれらの組合せを含み得る。無認可スペクトル中の複信は、周波数分割複信（ＦＤＤ）、時分割複信（ＴＤＤ）、またはその両方の組合せに基づき得る。
【００５１】
[0060]  いくつかの例では、基地局１０５またはＵＥ１１５は、複数のアンテナを装備し得、複数のアンテナは、送信ダイバーシティ、受信ダイバーシティ、多入力多出力（ＭＩＭＯ）通信、またはビームフォーミングなどの技法を採用するために使用され得る。たとえば、ワイヤレス通信システム１００は、送信デバイス（たとえば、基地局１０５）と受信デバイス（たとえば、ＵＥ１１５）との間で送信方式を使用し得、ここで、送信デバイスは、複数のアンテナを装備し、受信デバイスは、１つまたは複数のアンテナを装備する。ＭＩＭＯ通信は、空間多重化と呼ばれることがある異なる空間レイヤを介して複数の信号を送信または受信することによってスペクトル効率を増加させるためにマルチパス信号伝搬を採用し得る。複数の信号は、たとえば、異なるアンテナまたはアンテナの異なる組合せを介して送信デバイスによって送信され得る。同様に、複数の信号は、異なるアンテナまたはアンテナの異なる組合せを介して受信デバイスによって受信され得る。複数の信号の各々は、別個の空間ストリームと呼ばれることがあり、同じデータストリーム（たとえば、同じコードワード）または異なるデータストリームに関連付けられたビットを搬送し得る。異なる空間レイヤは、チャネル測定および報告のために使用される異なるアンテナポートに関連付けられ得る。ＭＩＭＯ技法は、複数の空間レイヤが同じ受信デバイスに送信されるシングルユーザＭＩＭＯ（ＳＵ−ＭＩＭＯ）と、複数の空間レイヤが複数のデバイスに送信されるマルチユーザＭＩＭＯ（ＭＵ−ＭＩＭＯ）とを含む。
【００５２】
[0061]  空間フィルタ処理、指向性送信、または指向性受信と呼ばれることもあるビームフォーミングは、送信デバイスと受信デバイスとの間の空間経路に沿ってアンテナビーム（たとえば、送信ビームまたは受信ビーム）を成形または誘導するために送信デバイスまたは受信デバイス（たとえば、基地局１０５またはＵＥ１１５）において使用され得る信号処理技法である。ビームフォーミングは、アンテナアレイに対して特定の向きに伝搬する信号が強め合う干渉を受ける一方で他のものが弱め合う干渉を受けるようにアンテナアレイのアンテナ要素を介して通信される信号を組み合わせることによって達成され得る。アンテナ要素を介して通信される信号の調整は、デバイスに関連付けられたアンテナ要素の各々を介して搬送される信号にある振幅および位相オフセットを適用する送信デバイスまたは受信デバイスを含み得る。アンテナ要素の各々に関連付けられた調整は、（たとえば、送信デバイスもしくは受信デバイスのアンテナアレイに対して、またはいくつかの他の向きに対して）特定の向きに関連付けられたビームフォーミング重みセットによって定義され得る。
【００５３】
[0062]  一例では、基地局１０５は、ＵＥ１１５との指向性通信のためのビームフォーミング動作を行うために、複数のアンテナまたはアンテナアレイを使用し得る。たとえば、いくつかの信号（たとえば、同期信号、基準信号、ビーム選択信号、または他の制御信号）は、異なる方向に複数回、基地局１０５によって送信され得、送信の異なる方向に関連付けられた異なるビームフォーミング重みセットに従って送信されている信号を含み得る。異なるビーム方向への送信は、基地局１０５によって後続の送信および／または受信のためのビーム方向を識別するために（たとえば、基地局１０５またはＵＥ１１５などの受信デバイスによって）使用され得る。特定の受信デバイスに関連付けられたデータ信号などのいくつかの信号は、単一のビーム方向（たとえば、ＵＥ１１５などの受信デバイスに関連付けられた方向）に基地局１０５によって送信され得る。いくつかの例では、単一のビーム方向に沿った送信に関連付けられたビーム方向は、異なるビーム方向に送信された信号に少なくとも部分的に基づいて決定され得る。たとえば、ＵＥ１１５は、異なる方向に基地局１０５によって送信された信号のうちの１つまたは複数を受信し得、ＵＥ１１５は、それが最高の信号品質または別様の許容できる信号品質で受信した信号の指示を基地局１０５に報告し得る。これらの技法について、基地局１０５によって１つまたは複数の方向に送信される信号に関して説明するが、ＵＥ１１５は、（たとえば、ＵＥ１１５による後続の送信または受信のためのビーム方向を識別するために）異なる方向に複数回、信号を送信すること、または（たとえば、受信デバイスにデータを送信するために）単一の方向に信号を送信することを行うために同様の技法を採用し得る。
【００５４】
[0063]  受信デバイス（たとえば、ｍｍＷの受信デバイスの一例であり得るＵＥ１１５）は、同期信号、基準信号、ビーム選択信号、または他の制御信号などの基地局１０５からの様々な信号を受信するときに複数の受信ビームを試み得る。たとえば、受信デバイスは、異なるアンテナサブアレイを介して受信することによって、異なるアンテナサブアレイに従って受信信号を処理することによって、アンテナアレイの複数のアンテナ要素において受信された信号に適用される異なる受信ビームフォーミング重みセットに従って受信することによって、またはアンテナアレイの複数のアンテナ要素において受信された信号に適用される異なる受信ビームフォーミング重みセットに従って受信信号を処理することによって複数の受信方向を試み得、それらのいずれも、異なる受信ビームまたは受信方向に従って「リッスンすること（listening）」と呼ばれることがある。いくつかの例では、受信デバイスは、（たとえば、データ信号を受信するときに）単一のビーム方向に沿って受信するために単一の受信ビームを使用し得る。単一の受信ビームは、異なる受信ビーム方向（たとえば、複数のビーム方向に従ってリッスンすることに基づいて最も高い信号強度、最も高い信号対雑音比、またはさもなければ許容できる信号品質を有すると決定されたビーム方向）に従ってリッスンすることに基づいて決定されたビーム方向に整列され得る。
【００５５】
[0064]  場合によっては、基地局１０５またはＵＥ１１５のアンテナは、ＭＩＭＯ動作または送信もしくは受信ビームフォーミングをサポートし得る１つまたは複数のアンテナアレイ内に位置し得る。たとえば、１つまたは複数の基地局アンテナまたはアンテナアレイは、アンテナ塔などのアンテナアセンブリにコロケート（co-locate）され得る。場合によっては、基地局１０５に関連付けられたアンテナまたはアンテナアレイは、多様な地理的位置に配置され得る。基地局１０５は、ＵＥ１１５との通信のビームフォーミングをサポートするために基地局１０５が使用し得るアンテナポートのいくつかの行および列をもつアンテナアレイを有し得る。同様に、ＵＥ１１５は、様々なＭＩＭＯまたはビームフォーミング動作をサポートし得る１つまたは複数のアンテナアレイを有し得る。
【００５６】
[0065]  場合によっては、ワイヤレス通信システム１００は、階層化プロトコルスタックに従って動作するパケットベースのネットワークであり得る。ユーザプレーンでは、ベアラまたはパケットデータコンバージェンスプロトコル（ＰＤＣＰ）レイヤにおける通信は、ＩＰベースであり得る。無線リンク制御（ＲＬＣ）レイヤは、場合によっては、論理チャネル上で通信するために、パケットのセグメンテーションおよびリアセンブリを実行し得る。媒体アクセス制御（ＭＡＣ）レイヤは、優先度処理、およびトランスポートチャネルへの論理チャネルの多重化を実行し得る。ＭＡＣレイヤはまた、リンク効率を改善するためにＭＡＣレイヤにおいて再送信を行うためにハイブリッド自動再送要求（ＨＡＲＱ）を使用し得る。制御プレーンでは、無線リソース制御（ＲＲＣ）プロトコルレイヤが、ユーザプレーンデータのための無線ベアラをサポートする、ＵＥ１１５と基地局１０５またはコアネットワーク１３０との間のＲＲＣ接続の確立と構成と維持とを行い得る。物理（ＰＨＹ）レイヤにおいて、トランスポートチャネルは物理チャネルにマッピングされ得る。
【００５７】
[0066]  場合によっては、ＵＥ１１５および基地局１０５は、データが正常に受信される可能性を増加させるためにデータの再送信をサポートし得る。ＨＡＲＱフィードバックは、データが通信リンク１２５を介して正しく受信される可能性を増加させる１つの技法である。ＨＡＲＱは、（たとえば、巡回冗長検査（ＣＲＣ）を使用する）誤り検出、前方誤り訂正（ＦＥＣ）、および再送信（たとえば、自動再送要求（ＡＲＱ））の組合せを含み得る。ＨＡＲＱは、劣悪な無線状態（たとえば、信号対雑音状態）でのＭＡＣレイヤにおけるスループットを改善し得る。場合によっては、ワイヤレスデバイスは、デバイスがスロット中の前のシンボル中で受信されたデータについて特定のスロット中でＨＡＲＱフィードバックを与え得る同スロットＨＡＲＱフィードバックをサポートし得る。他の場合には、デバイスは、後続のスロット中でまたは何らかの他の時間間隔に従ってＨＡＲＱフィードバックを与え得る。
【００５８】
[0067]  ＬＴＥまたはＮＲにおける時間間隔は、たとえば、Ｔs＝１／３０，７２０，０００秒のサンプリング周期を指す基本時間単位の倍数で表され得る。通信リソースの時間間隔は、各々が１０ミリ秒（ｍｓ）の持続時間を有する無線フレームに従って編成され得、ここで、フレーム周期は、Ｔf＝３０７，２００Ｔsとして表され得る。無線フレームは、０から１０２３までにわたるシステムフレーム番号（ＳＦＮ）によって識別され得る。各フレームは、０から９まで番号付けされた１０個のサブフレームを含み得、各サブフレームは、１ｍｓの持続時間を有し得る。サブフレームは、各々が０．５ｍｓの持続時間を有する２つのスロットにさらに分割され得、各スロットは、（たとえば、各シンボル期間にプリペンドされたサイクリックプレフィックスの長さに応じて）６つまたは７つの変調シンボル期間を含み得る。サイクリックプレフィックスを除いて、各シンボル期間は、２０４８個のサンプリング周期を含み得る。場合によっては、サブフレームは、ワイヤレス通信システム１００の最も小さいスケジューリングユニットであり得、送信時間間隔（ＴＴＩ）と呼ばれることがある。他の場合には、ワイヤレス通信システム１００の最も小さいスケジューリングユニットは、サブフレームよりも短くなり得るか、または（たとえば、短縮ＴＴＩ（ｓＴＴＩ）のバースト中でまたはｓＴＴＩを使用する選択されたコンポーネントキャリア中で）動的に選択され得る。
【００５９】
[0068]  いくつかのワイヤレス通信システムでは、スロットは、１つまたは複数のシンボルを含んでいる複数のミニスロットにさらに分割され得る。場合によっては、ミニスロットのシンボルまたはミニスロットは、スケジューリングの最も小さい単位であり得る。たとえば、各シンボルは、サブキャリア間隔または動作の周波数帯域に応じて持続時間中で変化し得る。さらに、いくつかのワイヤレス通信システムは、複数のスロットまたはミニスロットが互いにアグリゲートされ、ＵＥ１１５と基地局１０５との間の通信のために使用され得るスロットアグリゲーション（slot aggregation）を実装し得る。
【００６０】
[0069]  「キャリア（carrier）」という用語は、通信リンク１２５を介した通信をサポートするための定義された物理レイヤ構造を有する無線周波数スペクトルリソースのセットを指す。たとえば、通信リンク１２５のキャリアは、所与の無線アクセス技術のための物理レイヤチャネルに従って動作する無線周波数スペクトル帯域の一部分を含み得る。各物理レイヤチャネルは、ユーザデータ、制御情報、または他のシグナリングを搬送し得る。キャリアは、あらかじめ定義された周波数チャネル（たとえば、Ｅ−ＵＴＲＡ絶対無線周波数チャネル番号（ＥＡＲＦＣＮ））に関連付けられ得、ＵＥ１１５による発見のためのチャネルラスタ（channel raster）に従って配置され得る。キャリアは、（たとえば、ＦＤＤモードで）ダウンリンクまたはアップリンクであり得るか、または（たとえば、ＴＤＤモードで）ダウンリンクおよびアップリンク通信を搬送するように構成され得る。いくつかの例では、キャリアを介して送信される信号波形は、（たとえば、直交周波数分割多重（ＯＦＤＭ）またはＤＦＴ−ｓ−ＯＦＤＭなどのマルチキャリア変調（ＭＣＭ）技法を使用して）複数のサブキャリアから構成され得る。
【００６１】
[0070]  キャリアの組織構造は、無線アクセス技術（たとえば、ＬＴＥ、ＬＴＥ−Ａ、ＮＲなど）ごとに異なり得る。たとえば、キャリアを介した通信は、ＴＴＩまたはスロットに従って編成され得、その各々は、ユーザデータならびにユーザデータを復号するのをサポートするための制御情報またはシグナリングを含み得る。キャリアはまた、キャリアのための動作を協調させる専用の捕捉シグナリング（acquisition signaling）（たとえば、同期信号またはシステム情報など）と制御シグナリングとを含み得る。いくつかの例では（たとえば、キャリアアグリゲーション構成では）、キャリアはまた、他のキャリアのための動作を協調させる捕捉シグナリングまたは制御シグナリングを有し得る。
【００６２】
[0071]  物理チャネルは、様々な技法に従ってキャリア上で多重化され得る。物理制御チャネルと物理データチャネルとは、たとえば、時分割多重化（ＴＤＭ）技法、周波数分割多重化（ＦＤＭ）技法、またはハイブリッドＴＤＭ−ＦＤＭ技法を使用して、ダウンリンクキャリア上で多重化され得る。いくつかの例では、物理制御チャネル中で送信される制御情報は、カスケード方式で異なる制御領域間で（たとえば、共通制御領域または共通探索空間と１つまたは複数のＵＥ固有制御領域（UE-specific control region）またはＵＥ固有探索空間との間で）配信され得る。
【００６３】
[0072]  キャリアは、無線周波数スペクトルの特定の帯域幅に関連付けられ得、いくつかの例では、キャリア帯域幅は、キャリアまたはワイヤレス通信システム１００の「システム帯域幅（system bandwidth）」と呼ばれることがある。たとえば、キャリア帯域幅は、特定の無線アクセス技術のキャリアのための所定のいくつかの帯域幅のうちの１つ（たとえば、１．４、３、５、１０、１５、２０、４０、または８０ＭＨｚ）であり得る。いくつかの例では、各被サービスＵＥ１１５は、キャリア帯域幅の部分またはすべてを介して動作するように構成され得る。他の例では、いくつかのＵＥ１１５は、キャリア内のあらかじめ定義された部分または範囲（たとえば、サブキャリアまたはＲＢのセット）に関連付けられる狭帯域プロトコルタイプを使用した動作（たとえば、狭帯域プロトコルタイプの「帯域内」展開）のために構成され得る。
【００６４】
[0073]  ＭＣＭ技法を採用するシステムでは、リソース要素は、１つのシンボル期間（たとえば、１つの変調シンボルの持続時間）と１つのサブキャリアとからなり得、ここで、シンボル期間とサブキャリア間隔とは、逆関係にあり得る。各リソース要素によって搬送されるビット数は、変調方式（たとえば、変調方式の程度）に依存し得る。したがって、ＵＥ１１５が受信するリソース要素が多いほど、また変調方式の程度が高いほど、ＵＥ１１５のデータレートは高くなり得る。ＭＩＭＯシステムでは、ワイヤレス通信リソースは、無線周波数スペクトルリソース、時間リソース、および空間リソース（たとえば、空間レイヤ）の組合せを指すことがあり、複数の空間レイヤの使用は、ＵＥ１１５との通信のためのデータレートをさらに増加させ得る。
【００６５】
[0074]  ワイヤレス通信システム１００のデバイス（たとえば、基地局１０５またはＵＥ１１５）は、特定のキャリア帯域幅を介した通信をサポートするハードウェア構成を有し得るか、またはキャリア帯域幅のセットのうちの１つを介した通信をサポートするように構成可能であり得る。いくつかの例では、ワイヤレス通信システム１００は、２つ以上の異なるキャリア帯域幅に関連付けられたキャリアを介した同時通信をサポートすることができる基地局１０５および／またはＵＥ１１５を含み得る。
【００６６】
[0075]  ワイヤレス通信システム１００は、複数のセルまたはキャリア上でのＵＥ１１５との通信、すなわち、キャリアアグリゲーション（ＣＡ：carrier aggregation）またはマルチキャリア動作と呼ばれることがある特徴をサポートし得る。ＵＥ１１５は、ＣＡ構成に従って複数のダウンリンクＣＣと１つまたは複数のアップリンクＣＣとで構成され得る。ＣＡは、ＦＤＤコンポーネントキャリアとＴＤＤコンポーネントキャリアの両方とともに使用され得る。
【００６７】
[0076]  場合によっては、ワイヤレス通信システム１００は、拡張ＣＣ（ｅＣＣ）を利用し得る。ｅＣＣは、より広いキャリアもしくは周波数チャネル帯域幅、より短いシンボル持続時間、より短いＴＴＩ持続時間、または変更された制御チャネル構成を含む１つまたは複数の特徴によって特徴づけられ得る。場合によっては、ｅＣＣは、（たとえば、複数のサービングセルが準最適または非理想バックホールリンクを有するときに）ＣＡ構成またはデュアル接続性構成（dual connectivity configuration）に関連付けられ得る。ｅＣＣはまた、（たとえば、２つ以上の事業者がスペクトルを使用することを許可された場合）無認可スペクトルまたは共有スペクトル中で使用するように構成され得る。広いキャリア帯域幅によって特徴づけられるｅＣＣは、キャリア帯域幅全体を監視することが可能でないことがあり得るか、場合によっては（たとえば、電力を節約するために）限られたキャリア帯域幅を使用するように構成され得るＵＥ１１５によって利用され得る１つまたは複数のセグメントを含み得る。
【００６８】
[0077]  場合によっては、ｅＣＣは、他のＣＣとは異なるシンボル持続時間を利用し得、これは、他のＣＣのシンボル持続時間と比較して低減されたシンボル持続時間の使用を含み得る。より短いシンボル持続時間は、隣接するサブキャリア間の増加した間隔に関連付けられ得る。ｅＣＣを利用する、ＵＥ１１５または基地局１０５などのデバイスは、短縮されたシンボル持続時間（たとえば、１６．６７マイクロ秒）で（たとえば、２０、４０、６０、８０ＭＨｚなどの周波数チャネルまたはキャリア帯域幅に従って）広帯域信号を送信し得る。ｅＣＣ中のＴＴＩは、１つまたは複数のシンボル期間からなり得る。場合によっては、ＴＴＩ持続時間（すなわち、ＴＴＩ中のシンボル期間の数）は可変であり得る。
【００６９】
[0078]  ＮＲシステムなどのワイヤレス通信システムは、特に、認可スペクトル帯域、共有スペクトル帯域、および無認可スペクトル帯域の任意の組合せを利用し得る。ｅＣＣシンボル持続時間およびサブキャリア間隔の柔軟性により、複数のスペクトルにわたるｅＣＣの使用が可能になり得る。いくつかの例では、ＮＲ共有スペクトルは、具体的にはリソースの動的垂直（たとえば、周波数にわたる）共有および水平（たとえば、時間にわたる）共有によって、スペクトル利用度およびスペクトル効率を向上させる。
【００７０】
[0079]  基地局１０５は、ＵＥ１１５にＭＩＢを送信し得、ここで、ＭＩＢは、ネットワークへのＵＥｓの初期アクセスのために必須であり得る限られた数の最も頻繁に送信されたパラメータ、すなわち、ダウンリンクシステム帯域幅、ダウンリンク中でＨＡＲＱ肯定応答シグナリングに割り振られたリソースのインジケータ、およびシステムフレーム番号（ＳＦＮ）を含むシステム情報のブロックを含む。初期セル同期を完了した後に、ＵＥ１１５は、ネットワークにアクセスするより前にＭＩＢと、ＳＩＢ１と、ＳＩＢ２とを復号し得る。場合によっては、ＵＥ１１５は、マルチファイア接続のための初期セル捕捉を完了する前にＭＩＢを復号し得る。ＭＩＢは、ＲＢの期間中のダウンリンクチャネル帯域幅、物理ハイブリッドアクセス要求インジケータチャネル（ＰＨＩＣＨ：physical hybrid access request indicator channel）構成（持続時間およびリソース割当て）、およびＳＦＮを含む、ＵＥ初期アクセスのための数個の重要な情報を搬送する。ＭＩＢは、ＰＤＣＣＨのための共通探索空間をさらに示し得る。
【００７１】
[0080]  ＰＤＣＣＨは、効率的なデータ送信をサポートするために使用され得る。ＰＤＣＣＨは、ＵＥ１１５またはＵＥ１１５のグループのための送信リソース割当ておよび他の制御情報を含むダウンリンク制御情報（ＤＣＩ）として知られるメッセージを搬送する。多くのＰＤＣＣＨがサブフレーム中で送信され得る。ＰＤＣＣＨは、９つの論理的に連続するリソース要素グループ（ＲＥＧ：resource element group）からなり得る少なくとも１つのＣＣＥ中でＤＣＩを搬送し、ここで、各ＲＥＧは４つのリソース要素を含んでいる。ＤＣＩは、ダウンリンクスケジューリング割当て、アップリンクリソース許可、送信方式、アップリンク電力制御、ＨＡＲＱ情報、変調およびコーディング方式（ＭＣＳ：modulation and coding scheme）、ならびに他の情報に関する情報を含み得る。ＤＣＩメッセージのサイズおよびフォーマットは、ＤＣＩによって搬送される情報のタイプおよび量に応じて異なり得る。たとえば、空間多重化がサポートされる場合、ＤＣＩメッセージのサイズは連続周波数割振りと比較して大きくなり得る。同様に、ＭＩＭＯを採用するシステムの場合、ＤＣＩは、追加のシグナリング情報を含み得る。ＤＣＩサイズおよびフォーマットは、情報の量、ならびに帯域幅、アンテナポートの数、および複信モードなどのファクタに依存する。ＰＤＣＣＨは複数のユーザに関連付けられたＤＣＩメッセージを搬送することができ、各ＵＥ１１５は、それを対象とするＤＣＩメッセージを復号し得る。たとえば、各ＵＥ１１５はセル無線ネットワーク一時識別子（Ｃ−ＲＮＴＩ：cell radio network temporary identifier）を割り当てられ得、各ＤＣＩにアタッチされたＣＲＣビットが、Ｃ−ＲＮＴＩに基づいてスクランブルされ得る。
【００７２】
[0081]  ＵＥ１１５における電力消費およびオーバーヘッドを低減するために、ＣＣＥロケーションの限られたセットが、特定のＵＥ１１５に関連付けられたＤＣＩのために指定され得る。ＣＣＥは（たとえば、１つ、２つ、４つおよび８つのＣＣＥのグループに）グループ化され得、ＵＥ１１５が、関係するＤＣＩを発見し得る、ＣＣＥロケーションのセットが指定され得る。ＣＣＥの数は、アグリゲーションレベルに対応し得る（たとえば、６４のアグリゲーションレベルは６４個のＣＣＥに対応する）。これらのＣＣＥは、探索空間（search space）として知られていることがある。探索空間は、２つの領域（たとえば、共通ＣＣＥ領域または探索空間と、ＵＥ固有（専用）ＣＣＥ領域または探索空間と）に区分され得る。共通ＣＣＥ領域（すなわち、共通探索空間）は、基地局１０５によってサービスされるすべてのＵＥ１１５によって監視され得、ページング情報、システム情報、ランダムアクセス手順などの情報を含み得る。ＵＥ固有の探索空間は、ユーザ固有の制御情報を含み得る。ＣＣＥはインデックス付けされ得、共通探索空間はＣＣＥ０から開始し得る。ＵＥ固有探索空間のための開始インデックスは、Ｃ−ＲＮＴＩ、サブフレームインデックス、ＣＣＥアグリゲーションレベルおよびランダムシード（random seed）に依存する。表１に、ＰＤＣＣＨのために利用されるＯＦＤＭシンボルの数に基づく異なる周波数のためのＰＤＣＣＨ中のＣＣＥの数を示す。
【００７３】
【表１】
2020534744.tif 000003
【００７４】
[0082]  場合によっては、ＰＤＣＣＨは、限定されたカバレージを生じるアグリゲーションレベル（たとえば、８のアグリゲーションレベル）に基づいて限定されたＳＩＮＲ（たとえば−５ｄＢから−６ｄＢ）を有し得、限られた数のスケジューリング許可（たとえば、１つの許可）をサポートし得る。ワイヤレス通信システム１００は、拡張カバレージのための共通探索空間をサポートするｅＰＤＣＣＨを利用するための効率的な技法をサポートし得る。基地局１０５は、カバレージを改善するより高いアグリゲーションレベル（たとえば、６４）とより多数の許可（たとえば、ＳＩＢ−ＭＦ１許可）とをサポートする制御チャネル（たとえば、ｅＰＤＣＣＨ）を利用し得る。より少数のＲＢが制御チャネルをサポートし得るように、制御チャネルは、各々が設定された数のＣＣＥ（たとえば、４つ）を含んでいるＲＢ（たとえば、各々が６４のアグリゲーションレベルにおいてｅＰＤＣＣＨをサポートし得る４つのＣＣＥをもつ１６個のＲＢ）を含み得る。制御チャネルは、組み合わされたセット中での物理ＲＢペアと探索空間とをサポートし得る。さらに、制御チャネルは、セルＩＤによってＤＭＲＳをスクランブルすることによって共通探索空間をサポートし得る。制御チャネルは、共通探索空間のための分離されたＲＢとＵＥ固有探索空間のためのＲＢとをさらに含み得る。基地局１０５は、（たとえば、Ｃ−ＰＤＣＣＨ中に）許可スケジューリング（たとえば、ＳＩＢ−ＭＦ１許可）またはフレーム構造シグナリングのための１つまたは複数の共通探索空間を定義し得、ＭＩＢ内でのＵＥ１１５への共通探索空間のためのリソース割振りをシグナリングし得る。
【００７５】
[0083]  場合によっては、各共通探索空間は、ＵＥ１１５がフレーム構造シグナリングまたは許可スケジューリングを復号することについて監視するＣＣＥの固定のセットを含み得る。さらに、共通探索空間は、設定された数のＲＢ（たとえば、１６個のＲＢ）を含み得、ここで、ＲＢの第１のセットは、フレーム構造シグナリングに専用であり得る。追加または代替として、ＲＢの全セットはまた、許可スケジューリングのために利用され得る。代替として、共通探索空間が、いかなる許可スケジューリングもなしにサブフレーム中に発生する場合、ＲＢの第１のセットは、フレーム構造シグナリングに専用であり得、ＲＢは、許可スケジューリングのために利用されないことがある。場合によっては、基地局１０５は、フレーム構造シグナリングおよび許可スケジューリングのためのＲＢをハードコーディングし得る。代替として、基地局１０５は、ＭＩＢ中の予約済みビットを介して共通探索空間内のフレーム構造シグナリングまたは許可スケジューリングの各々のためのＲＢをシグナリングし得る。
【００７６】
[0084]  基地局１０５は、ランダムアクセスのための許可、ページング、システム情報（たとえば、ＳＩＢ−Ｘ）、およびＴＰＣなどの追加情報のための追加の共通探索空間をさらにシグナリングし得る。追加の共通探索空間のリソース割振りは、初期の共通探索空間内の許可スケジューリングによって示され得る。場合によっては、追加の共通探索空間は、リソースを節約するために初期の共通探索空間と重複し得る。追加または代替として、基地局１０５は、フレーム構造シグナリング、許可スケジューリング、および追加情報のうちの１つまたは複数のために同じ共通探索空間を利用し得る。
【００７７】
[0085]  図２に、本開示の様々な態様による、ワイヤレス通信におけるカバレージ拡張のための共通探索空間設計をサポートするワイヤレス通信システム２００の一例を示す。いくつかの例では、ワイヤレス通信システム２００は、ワイヤレス通信システム１００の態様を実装し得る。ワイヤレス通信システム２００は、図１を参照しながら説明した対応する基地局１０５とＵＥ１１５との例であり得る基地局１０５−ａとＵＥ１１５−ａとを含み得る。ＵＥ１１５−ａがカバレージエリア（coverage area）１１０−ａ内にあるとき、基地局１０５−ａは、キャリア２０５のリソース上でＵＥ１１５−ａにダウンリンク情報を送信し得る。場合によっては、ダウンリンク情報は、基地局１０５−ａとＵＥ１１５−ａとの間でのフレーム構造シグナリング（すなわち、Ｃ−ＰＤＣＣＨ）および／またはマルチファイア接続のためのスケジューリング許可（すなわち、ＳＩＢ−ＭＦ１許可）を含み得る。
【００７８】
[0086]  基地局１０５−ａは、Ｃ−ＰＤＣＣＨまたはＳＩＢ−ＭＦ１許可のための共通探索空間（たとえば、タイプ−０共通探索空間）を定義し、ＭＩＢ２１０を介して共通探索空間のためのリソース割振りをシグナリングし得る。共通探索空間は、ＰＤＣＣＨ２１５およびｅＰＤＣＣＨ２２０のためのＲＢを含み得る。ｅＰＤＣＣＨ２２０は、カバレージを改善するためにより高いアグリゲーションレベル（たとえば、６４）をサポートし、より多数の許可（たとえば、ＳＩＢ−ＭＦ１許可）を可能にし得る。より少数のＲＢがｅＰＤＣＣＨ２２０をサポートし得るように、ｅＰＤＣＣＨ２２０は、各々が設定された数のＣＣＥ（たとえば、４つ）を含んでいるＲＢ（たとえば、各々が６４のアグリゲーションレベルにおいてｅＰＤＣＣＨをサポートし得る４つのＣＣＥをもつ１６個のＲＢ）を含み得る。ｅＰＤＣＣＨ２２０は、組み合わされたセット中での物理ＲＢペアと探索空間とをサポートし得る。さらに、ｅＰＤＣＣＨ２２０は、セルＩＤを使用してＤＭＲＳをスクランブルすることによって共通探索空間をサポートし得る。ｅＰＤＣＣＨ２２０は、共通探索空間のための分離されたＲＢとＵＥ固有探索空間のためのＲＢとをさらに含み得る。基地局１０５は、（たとえば、Ｃ−ＰＤＣＣＨ中に）許可スケジューリング（たとえば、ＳＩＢ−ＭＦ１許可）および／またはフレーム構造シグナリングのための１つまたは複数の共通探索空間を定義し、ＭＩＢ２１０内でのＵＥ１１５−ａへの共通探索空間のためのリソース割振りをシグナリングし得る。
【００７９】
[0087]  さらに、共通探索空間は、設定された数のＲＢ（たとえば、１６個のＲＢ）を含み得、ここで、ＲＢの第１のセットは、ｃ−ＰＤＣＣＨに専用であり得る。追加または代替として、ＲＢの全セットはまた、ＳＩＢ−ＭＦ１のために利用され得る。代替として、共通探索空間が、いかなる許可スケジューリングもなしにサブフレーム中に発生する場合、ＲＢの第１のセットは、ｃ−ＰＤＣＣＨに専用であり得、ＲＢは、ＳＩＢ−ＭＦ１のために利用されないことがある。場合によっては、基地局１０５−ａは、ｃ−ＰＤＣＣＨおよびＳＩＢ−ＭＦ１のためのＲＢをハードコーディングし得る。代替として、基地局１０５−ａは、ＭＩＢ２１０中で予約済みビット（たとえば、利用可能な７ビット）を介して共通探索空間内のｃ−ＰＤＣＣＨおよびＳＩＢ−ＭＦ１の各々のためのＲＢをシグナリングし得る。
【００８０】
[0088]  場合によっては、基地局１０５−ａは、タイプ−０共通探索空間のサイズを示すためにＭＩＢ２１０中の２ビット以上を利用し得る。たとえば、タイプ−０共通探索空間は、０のサイズを有し得、ここで、Ｃ−ＰＤＣＣＨまたはＳＩＢ−ＭＦ１許可は、ＰＤＣＣＨ２１５上にあり得る。他の例では、タイプ−０共通探索空間は、８のサイズを有し得、ここで、ＳＩＢ−ＭＦ１許可は、ＰＤＣＣＨ２１５上にあり得、Ｃ−ＰＤＣＣＨは、ｅＰＤＣＣＨ２２０上にあり得る。他の例では、タイプ−０共通探索空間は、１６のサイズを有し得、ここで、８つのＲＢは、Ｃ−ＰＤＣＣＨに専用であり得、ＳＩＢ−ＭＦ１許可は、それらの８つのＲＢを共有し、さらに８つの専用ＲＢを有する。代替として、Ｃ−ＰＤＣＣＨに専用のＲＢがないことがあり、１６個のＲＢのすべてが、ＳＩＢ−ＭＦ１許可に専用であり得る。他の例では、タイプ−０共通探索空間は、２４のサイズを有し得、ここで、８つのＲＢは、Ｃ−ＰＤＣＣＨに専用であり得、１６個のＲＢは、ＳＩＢ−ＭＦ１許可に専用であり得る。追加または代替として、基地局１０５−ａは、分散または局所ｅＰＤＣＣＨ送信モードをシグナリングするためにＭＩＢ２１０中の１ビットを利用し得る。場合によっては、分散ｅＰＤＣＣＨ送信モードは、ｅＰＤＣＣＨ２２０全体にわたって分散されたＣＣＥを含み得る。代替として、局所ｅＰＤＣＣＨ送信モードは、隣接するＲＢ上で互いにグループ化されるＣＣＥを含み得る。ＵＥ１１５−ａは、基地局１０５−ａとのマルチファイア接続を確立するためにＣ−ＰＤＣＣＨまたはＳＩＢ−ＭＦ１許可を復号するためにＣＣＥについてＲＢを監視し得る。
【００８１】
[0089]  図３に、本開示の様々な態様による、ワイヤレス通信におけるカバレージ拡張のための共通探索空間設計をサポートするリソース割振り３００の一例を示す。いくつかの例では、リソース割振り３００は、ワイヤレス通信システム１００および２００の態様を実装し得る。リソース割振り３００は、１つまたは複数の共通探索空間のためのＲＢ３０５のセットの割振りを含み得る。ＲＢ３０５の各セットは、４つのＲＢと１６個のＣＣＥとを含み得る。したがって、ＲＢ３０５の各セットは、１６のアグリゲーションレベル（すなわち、４つのＲＢ×それぞれ４つのＣＣＥ＝合計１６個のＣＣＥ）を有し得る。ＲＢ３０５の各セットは、周波数領域において定義されているＲＢを含み得る。
【００８２】
[0090]  タイプ−０共通探索空間は、ＲＢ３０５の最初の６つのセット（すなわち、合計２４個のＲＢ）を含み得る。タイプ−０共通探索空間のサイズは、図２を参照しながら説明したように決定され、シグナリングされ得る。場合によっては、タイプ−０共通探索空間は、ＲＢ３０５の最初の２つのセット（たとえば、最初の８つのＲＢ）上のＣＣＥ上にＣ−ＰＤＣＣＨを含み得る。Ｃ−ＰＤＣＣＨに専用のＲＢの数は、変動し、ネットワーク（たとえば、基地局１０５）によって決定され得る。追加または代替として、タイプ−０共通探索空間は、タイプ−０共通探索空間のすべてのＲＢ３０５上のＣＣＥにわたってシグナリングされ得るＳＩＢ−ＭＦ１許可を含み得る。ＵＥ１１５は、基地局１０５とのマルチファイア接続を確立するための対応するＣ−ＰＤＣＣＨおよび／またはＳＩＢ−ＭＦ１許可についてＲＢ３０５の各セット内のＣＣＥを監視し得る。ＳＩＢ−ＭＦ１許可を正常に復号し、初期のマルチファイア接続を確立した後に、基地局１０５は、ランダムアクセスのための追加の許可、ページング、追加のシステム情報ブロック（たとえば、ＳＩＢ−Ｘ）、およびＴＰＣを送信し得る。
【００８３】
[0091]  基地局１０５は、ランダムアクセスのための許可、ページング、ＳＩＢ−Ｘ、およびＴＰＣを含む追加情報のための追加の共通探索空間（たとえば、タイプ−１共通探索空間）をシグナリングし得る。タイプ−１共通探索空間のリソース割振りは、タイプ−０共通探索空間内のＳＩＢ−ＭＦ１許可によって示され得る。場合によっては、タイプ−１共通探索空間は、リソースを節約するためにタイプ−０共通探索空間と重複し得る。ＲＢの数およびアグリゲーションレベルに応じて、異なる数の候補（たとえば、ＰＤＣＣＨ候補）がタイプ−１共通探索空間内でサポートされ得る。たとえば、３２のアグリゲーションレベルにある１６個のＲＢは、２つの候補をサポートし得、６４のアグリゲーションレベルにある１６個のＲＢは、１つの候補をサポートし得る。共通探索空間のための専用ＲＢが終了した後、残りのＲＢは、ＵＥ固有の探索空間に専用であり得る。
【００８４】
[0092]  場合によっては、ＰＤＣＣＨ領域は、非広帯域カバレージ拡張（非ＷＣＥ：non-wideband coverage extension）ＵＥ１１５をサービスし得、スケジュールされたデータは、ＰＤＣＣＨ領域の後にＷＣＥ  ＤＣＩと多重化し得る。さらに、ｅＰＤＣＣＨ領域とＰＤＣＣＨ領域とは、重複するリソースをスケジュールし得る。たとえば、ＷＣＥモードと非ＷＣＥモードとの両方にあるＵＥ１１５は、ページングメッセージについて同じ物理ダウンリンク共有チャネル（ＰＤＳＣＨ：physical downlink shared channel）サブフレームを調査または監視するように指示され得る。
【００８５】
[0093]  図４に、本開示の様々な態様による、ワイヤレス通信におけるカバレージ拡張のための共通探索空間設計をサポートするリソース割振り４００の一例を示す。いくつかの例では、リソース割振り４００は、ワイヤレス通信システム１００および２００の態様を実装し得る。リソース割振り４００は、１つまたは複数の共通探索空間のためのＲＢ４０５のセットの割振りを含み得る。ＲＢ４０５の各セットは、４つのＲＢと１６個のＣＣＥとを含み得る。したがって、ＲＢ４０５の各セットは、１６のアグリゲーションレベル（すなわち、４つのＲＢ×それぞれ４つのＣＣＥ＝合計１６個のＣＣＥ）を有し得る。ＲＢ４０５の各セットは、周波数領域において定義されているＲＢを含み得る。図３を参照しながら説明したように、Ｃ−ＰＤＣＣＨは、ＲＢ４０５の最初の２つのセット上のＣＣＥを占有し得、ＲＢ４０５のセットは、タイプ−０共通探索空間の後のＵＥ固有の探索空間に専用であり得る。
【００８６】
[0094]  リソース割振り４００は、ＳＩＢ−ＭＦ１のための許可、ＳＩＢ-Ｘ、ランダムアクセス、ページング、およびＴＰＣがタイプ−０共通探索空間のＲＢ４０５の同じセットにわたって発生するようにリソース（resource）を割り振ることの一例を示し得る。したがって、基地局１０５は、ＳＩＢ−ＭＦ１中に追加の共通探索空間（たとえば、タイプ−１共通探索空間）のためのシグナリングを含まないことがある。さらに、マルチファイア接続を確立するための接続情報のためのブラインド復号（blind decode）の数が低減され得、タイプ−０共通探索空間内のＲＢのより効率的な使用が達成され得る。たとえば、ブラインド復号は、８つのＲＢのセット、（８＋８）個ＲＢのセット、または８＋（８＋８）個のＲＢのセットにわたって発生し得る。さらに、２４個のＲＢの最大合計は、３２のアグリゲーションレベルにおいて１つの候補をサポートし、６４のアグリゲーションレベルにおいて１つの候補をサポートし得る。
【００８７】
[0095]  図５に、本開示の様々な態様による、ワイヤレス通信におけるカバレージ拡張のための共通探索空間設計をサポートするプロセスフロー５００の一例を示す。いくつかの例では、プロセスフロー５００は、ワイヤレス通信システム１００および２００の態様を実装し得る。プロセスフロー５００に、図１〜図４を参照しながら説明した基地局１０５およびＵＥ１１５の例であり得る、基地局１０５−ｂおよびＵＥ１１５−ｂによって実行される技法の態様を示す。
【００８８】
[0096]  プロセスフロー５００の以下の説明では、ＵＥ１１５−ｂと基地局１０５−ｂとの間の動作は、異なる順序で、または異なる時間に実行され得る。いくつかの動作がまた、プロセスフロー５００から省かれ得、または他の動作が、プロセスフロー５００に追加され得る。
【００８９】
[0097]  ５０５において、基地局１０５−ｂは、ｅＰＤＣＣＨのための共通探索空間を識別し得る。場合によっては、基地局１０５−ｂは、識別された共通探索空間と重複する第２の共通探索空間を識別し得、ここで、第２の共通探索空間が、タイプ−１  ＤＣＩに関連付けられ得、識別された共通探索空間が、タイプ−０  ＤＣＩに関連付けられ得る。
【００９０】
[0098]  ５１０において、基地局１０５−ｂは、Ｃ−ＰＤＣＣＨに共通探索空間内のＣＣＥの第１のセットを割り振り得る。場合によっては、基地局１０５−ｂは、ＳＩＢ、ＳＩＢ−ＭＦ１許可、ランダムアクセスメッセージ、ページングメッセージ、ＴＰＣメッセージ、またはそれらの組合せに共通探索空間内の制御要素の第２のセットを割り振り得る。
【００９１】
[0099]  ５１５において、基地局１０５−ｂは、ＵＥ１１５−ｂに、制御チャネル要素の第１のセットを介してＤＣＩを送信し得る。５２０において、基地局１０５−ｂは、Ｃ−ＰＤＣＣＨ、ＳＩＢ−ＭＦ１許可、ｅＰＤＣＣＨの送信モード、またはそれらの組合せについての情報を示すＭＩＢを送信し得る。ＭＩＢのビットのセットは、共通探索空間のサイズおよび／またはｅＰＤＣＣＨの送信モードを示し得る。ＵＥ１１５−ｂは、ＭＩＢに対応するビットのセットを受信し得、ここで、共通探索空間は、ビットのセットに基づいて決定され得る。ビットのセットの少なくとも一部分は、共通探索空間のサイズ、ｅＰＤＣＣＨの送信モード、またはそれらの組合せを示し得る。
【００９２】
[0100]  ５２５において、ＵＥ１１５−ｂは、ＭＩＢに基づいて、ＰＤＣＣＨのための共通探索空間を決定し得る。さらに、ＵＥ１１５−ｂは、（たとえば、共通探索空間のサイズに基づいて）Ｃ−ＰＤＣＣＨのためのチャネル、Ｃ−ＰＤＣＣＨのためのリソース割振り、ＳＩＢ−ＭＦ１許可のロケーション、またはそれらの組合せを決定し得る。ＳＩＢ−ＭＦ１許可のロケーションは、ＭＩＢのビットのセットに基づいて決定され得る。ｅＰＤＣＣＨの送信モードは、分散送信モードまたは局所送信モードのうちの１つを含み得る。ＵＥ１１５−ｂは、復号されたＭＩＢに基づいて第２の共通探索空間を識別し、決定し得、ここで、第２の共通探索空間は、決定された共通探索空間と重複する。第２の共通探索空間は、タイプ−１  ＤＣＩに関連付けられ得、決定された共通探索空間は、タイプ−０  ＤＣＩに関連付けられ得る。ＵＥ１１５−ｂは、共通探索空間に基づいてＳＩＢ、ランダムアクセスメッセージ、ページングメッセージ、ＴＰＣメッセージ、またはそれらの組合せを受信し得る。
【００９３】
[0101]  ５３０において、ＵＥ１１５−ｂは、共通探索空間の制御チャネル要素のセットを監視し得、ＣＣＥのセットは、Ｃ−ＰＤＣＣＨに関連付けられる。ＣＣＥのセットは、固定のセットであり得る。
【００９４】
[0102]  ５３５において、ＵＥ１１５−ｂは、ＣＣＥの監視されたセットに基づいてＣ−ＰＤＣＣＨを復号し得る。追加または代替として、ＵＥ１１５−ｂは、ＣＣＥの監視されたセットに基づいてＳＩＢ許可を復号し得、ここで、ＳＩＢ許可は、ＳＩＢ−ＭＦ１許可であり得る。代替として、ＵＥ１１５−ｂは、決定された共通探索空間に基づいてＳＩＢ−ＭＦ１許可を復号し得、復号されたＳＩＢ−ＭＦ１許可によってスケジュールされたＳＩＢ−ＭＦ１ペイロードに基づいて第２の共通探索空間のリソース割振りを決定し得る。
【００９５】
[0103]  ５４０において、基地局１０５−ｂとＵＥ１１５−ｂとは、Ｃ−ＰＤＣＣＨおよび／またはＳＩＢ−ＭＦ１許可を正常に復号することに基づいて接続を確立し得る。いくつかの場合には、接続は、マルチファイア接続（MulteFire connection）であり得る。
【００９６】
[0104]  図６に、本開示の態様による、ワイヤレス通信におけるカバレージ拡張のための共通探索空間設計をサポートするワイヤレスデバイス６０５のブロック図６００を示す。ワイヤレスデバイス６０５は、本明細書で説明したＵＥ１１５の態様の一例であり得る。ワイヤレスデバイス６０５は、受信機６１０と、ＵＥ通信マネージャ６１５と、送信機６２０とを含み得る。ワイヤレスデバイス６０５はプロセッサをも含み得る。これらの構成要素の各々は（たとえば、１つまたは複数のバスを介して）互いに通信していることがある。
【００９７】
[0105]  受信機６１０は、パケット、ユーザデータ、または様々な情報チャネルに関連付けられた制御情報（たとえば、ワイヤレス通信におけるカバレージ拡張のための共通探索空間設計に関係する制御チャネル、データチャネル、および情報など）などの情報を受信し得る。情報はデバイスの他の構成要素に受け渡され得る。受信機６１０は、図９を参照しながら説明されるトランシーバ９３５の態様の一例であり得る。受信機６１０は、単一のアンテナまたはアンテナのセットを利用し得る。
【００９８】
[0106]  ＵＥ通信マネージャ６１５は、図９を参照しながら説明されるＵＥ通信マネージャ９１５の態様の一例であり得る。
【００９９】
[0107]  ＵＥ通信マネージャ６１５および／またはそれの様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、ＵＥ通信マネージャ６１５および／またはそれの様々な副構成要素のうちの少なくともいくつかの機能は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本開示で説明される機能を実行するように設計されたそれらの任意の組合せによって実行され得る。
【０１００】
[0108]  ＵＥ通信マネージャ６１５および／またはそれの様々な副構成要素のうちの少なくともいくつかは、機能の部分が、１つまたは複数の物理デバイスによって異なる物理的ロケーションにおいて実装されるように分散されることを含めて、様々な位置に物理的に配置され得る。いくつかの例では、ＵＥ通信マネージャ６１５および／またはそれの様々な副構成要素のうちの少なくともいくつかは、本開示の様々な態様による、分離したおよび別個の構成要素であり得る。他の例では、ＵＥ通信マネージャ６１５および／またはそれの様々な副構成要素のうちの少なくともいくつかは、本開示の様々な態様による、限定はしないが、Ｉ／Ｏ構成要素、トランシーバ、ネットワークサーバ、別のコンピューティングデバイス、本開示で説明される１つまたは複数の他の構成要素、またはそれらの組合せを含む、１つまたは複数の他のハードウェア構成要素と組み合わされ得る。
【０１０１】
[0109]  ＵＥ通信マネージャ６１５は、基地局１０５から、ＭＩＢを受信し、ＭＩＢに基づいて、ＰＤＣＣＨのための共通探索空間を決定し、共通探索空間の制御チャネル要素のセットを監視し、制御チャネル要素の監視されたセットに基づいてＳＩＢ許可（たとえば、ＳＩＢ−ＭＦ１）を復号し得る。場合によっては、制御チャネル要素のセットは、Ｃ−ＰＤＣＣＨに関連付けられ得、ＵＥ通信マネージャ６１５および制御チャネル要素の監視されたセットに基づいてＣ−ＰＤＣＣＨを復号する。
【０１０２】
[0110]  送信機６２０は、デバイスの他の構成要素によって生成された信号を送信し得る。いくつかの例では、送信機６２０は、トランシーバモジュールにおいて受信機６１０とコロケートされ得る。たとえば、送信機６２０は、図９を参照しながら説明されるトランシーバ９３５の態様の一例であり得る。送信機６２０は、単一のアンテナまたはアンテナのセットを利用し得る。
【０１０３】
[0111]  図７に、本開示の態様による、ワイヤレス通信におけるカバレージ拡張のための共通探索空間設計をサポートするワイヤレスデバイス７０５のブロック図７００を示す。ワイヤレスデバイス７０５は、図６を参照しながら説明したワイヤレスデバイス６０５またはＵＥ１１５の態様の一例であり得る。ワイヤレスデバイス７０５は、受信機７１０と、ＵＥ通信マネージャ７１５と、送信機７２０とを含み得る。ワイヤレスデバイス７０５はプロセッサをも含み得る。これらの構成要素の各々は（たとえば、１つまたは複数のバスを介して）互いに通信していることがある。
【０１０４】
[0112]  受信機７１０は、パケット、ユーザデータ、または様々な情報チャネルに関連付けられた制御情報（たとえば、ワイヤレス通信におけるカバレージ拡張のための共通探索空間設計に関係する制御チャネル、データチャネル、および情報など）などの情報を受信し得る。情報はデバイスの他の構成要素に受け渡され得る。受信機７１０は、図９を参照しながら説明されるトランシーバ９３５の態様の一例であり得る。受信機７１０は、単一のアンテナまたはアンテナのセットを利用し得る。
【０１０５】
[0113]  ＵＥ通信マネージャ７１５は、図９を参照しながら説明されるＵＥ通信マネージャ９１５の態様の一例であり得る。
【０１０６】
[0114]  ＵＥ通信マネージャ７１５はまた、受信構成要素７２５と、探索空間構成要素７３０と、制御構成要素７３５と、デコーダ（decoder）７４０とを含み得る。
【０１０７】
[0115]  受信構成要素７２５は、基地局１０５から、ＭＩＢを受信し得る。場合によっては、ＭＩＢを受信することは、ＭＩＢに対応するビットのセットを受信することを含み、ここで、共通探索空間は、ビットのセットに基づいて決定される。場合によっては、ビットのセットの少なくとも一部分は、共通探索空間のサイズ、ｅＰＤＣＣＨの送信モード、またはそれらの組合せを示す。場合によっては、ｅＰＤＣＣＨの送信モードは、分散送信モードまたは局所送信モードのうちの１つを含む。
【０１０８】
[0116]  探索空間構成要素７３０は、ＭＩＢに基づいて、ＰＤＣＣＨのための共通探索空間を決定し、決定された共通探索空間と重複する第２の共通探索空間を識別し得る。場合によっては、第２の共通探索空間は、タイプ−１  ＤＣＩに関連付けられ、決定された共通探索空間は、タイプ−０  ＤＣＩに関連付けられる。
【０１０９】
[0117]  制御構成要素７３５は、共通探索空間の制御チャネル要素のセットを監視し得る。場合によっては、制御チャネル要素のセットは、Ｃ−ＰＤＣＣＨに関連付けられ得る。場合によっては、制御チャネル要素のセットは、固定のセットである。
【０１１０】
[0118]  デコーダ７４０は、制御チャネル要素の監視されたセットに基づいてＣ−ＰＤＣＣＨを復号し、および／または制御チャネル要素の監視されたセットに基づいてＳＩＢ許可を復号し得、ここで、ＳＩＢ許可は、ＳＩＢ−ＭＦ１許可である。場合によっては、第２の共通探索空間を識別することは、決定された共通探索空間に基づいてＳＩＢ−ＭＦ１許可を復号することを含む。
【０１１１】
[0119]  送信機７２０は、デバイスの他の構成要素によって生成された信号を送信し得る。いくつかの例では、送信機７２０は、トランシーバモジュールにおいて受信機７１０とコロケートされ得る。たとえば、送信機７２０は、図９を参照しながら説明されるトランシーバ９３５の態様の一例であり得る。送信機７２０は、単一のアンテナまたはアンテナのセットを利用し得る。
【０１１２】
[0120]  図８に、本開示の態様による、ワイヤレス通信におけるカバレージ拡張のための共通探索空間設計をサポートするＵＥ通信マネージャ８１５のブロック図  ８００を示す。ＵＥ通信マネージャ８１５は、図６、図７、および図９を参照しながら説明されるＵＥ通信マネージャ６１５、ＵＥ通信マネージャ７１５、またはＵＥ通信マネージャ９１５の態様の一例であり得る。ＵＥ通信マネージャ８１５は、受信構成要素８２０と、探索空間構成要素８２５と、制御構成要素８３０と、デコーダ８３５と、サイズ構成要素８４０と、リソース割振り構成要素８４５と、メッセージ構成要素８５０とを含み得る。これらのモジュールの各々は、直接または間接的に、（たとえば、１つまたは複数のバスを介して）互いに通信し得る。
【０１１３】
[0121]  受信構成要素８２０は、基地局１０５から、ＭＩＢを受信し得る。場合によっては、ＭＩＢを受信することは、ＭＩＢに対応するビットのセットを受信することを含み、ここで、共通探索空間は、ビットのセットに基づいて決定される。場合によっては、ビットのセットの少なくとも一部分は、共通探索空間のサイズ、ｅＰＤＣＣＨの送信モード、またはそれらの組合せを示す。場合によっては、ｅＰＤＣＣＨの送信モードは、分散送信モードまたは局所送信モードのうちの１つを含む。
【０１１４】
[0122]  探索空間構成要素８２５は、ＭＩＢに基づいて、ＰＤＣＣＨのための共通探索空間を決定し、決定された共通探索空間と重複する第２の共通探索空間を識別し得る。場合によっては、第２の共通探索空間は、タイプ−１  ＤＣＩに関連付けられ、決定された共通探索空間は、タイプ−０  ＤＣＩに関連付けられる。
【０１１５】
[0123]  制御構成要素８３０は、共通探索空間の制御チャネル要素のセットを監視し得る。場合によっては、制御チャネル要素のセットは、Ｃ−ＰＤＣＣＨに関連付けられ得る。場合によっては、制御チャネル要素のセットは、固定のセットである。
【０１１６】
[0124]  デコーダ８３５は、制御チャネル要素の監視されたセットに基づいてＣ−ＰＤＣＣＨを復号し、および／または制御チャネル要素の監視されたセットに基づいてＳＩＢ許可を復号し得、ここで、ＳＩＢ許可は、ＳＩＢ−ＭＦ１許可である。場合によっては、第２の共通探索空間を識別することは、決定された共通探索空間に基づいてＳＩＢ−ＭＦ１許可を復号することを含む。
【０１１７】
[0125]  サイズ構成要素（Size component）８４０は、（たとえば、共通探索空間のサイズに基づいて）Ｃ−ＰＤＣＣＨのためのチャネル、Ｃ−ＰＤＣＣＨのためのリソース割振り、ＳＩＢ−ＭＦ１許可のロケーション、またはそれらの組合せを決定し得る。場合によっては、ＳＩＢ−ＭＦ１許可のロケーションは、受信構成要素８２０によって受信されたビットのセットに基づいて決定され得る。
【０１１８】
[0126]  リソース割振り構成要素８４５は、復号されたＳＩＢ−ＭＦ１許可によってスケジュールされたＳＩＢ−ＭＦ１ペイロードに基づいて第２の共通探索空間のリソース割振りを決定し得る。
【０１１９】
[0127]  メッセージ構成要素８５０は、共通探索空間に基づいてＳＩＢ、ランダムアクセスメッセージ、ページングメッセージ、ＴＰＣメッセージ、またはそれらの組合せを受信し得る。
【０１２０】
[0128]  図９に、本開示の態様による、ワイヤレス通信におけるカバレージ拡張のための共通探索空間設計をサポートするデバイス９０５を含むシステム９００の図を示す。デバイス９０５は、たとえば、図６および図７を参照しながら上記で説明したワイヤレスデバイス６０５、ワイヤレスデバイス７０５、またはＵＥ１１５の構成要素の一例であり得るか、またはそれらを含み得る。デバイス９０５は、ＵＥ通信マネージャ９１５と、プロセッサ９２０と、メモリ９２５と、ソフトウェア９３０と、トランシーバ９３５と、アンテナ９４０と、Ｉ／Ｏコントローラ９４５とを含む、通信を送信および受信するための構成要素を含む双方向音声およびデータ通信のための構成要素を含み得る。これらの構成要素は、１つまたは複数のバス（たとえば、バス９１０）を介して電子通信していることがある。デバイス９０５は、１つまたは複数の基地局１０５とワイヤレス通信し得る。
【０１２１】
[0129]  プロセッサ９２０は、インテリジェントハードウェアデバイス、（たとえば、汎用プロセッサ、ＤＳＰ、中央処理ユニット（ＣＰＵ）、マイクロコントローラ、ＡＳＩＣ、ＦＰＧＡ、プログラマブル論理デバイス、個別ゲートまたはトランジスタ論理構成要素、個別ハードウェア構成要素、あるいはそれらの任意の組合せ）を含み得る。場合によっては、プロセッサ９２０は、メモリコントローラを使用してメモリアレイを動作させるように構成され得る。他の場合には、メモリコントローラはプロセッサ９２０に組み込まれ得る。プロセッサ９２０は、様々な機能（たとえば、ワイヤレス通信におけるカバレージ拡張のための共通探索空間設計をサポートする機能またはタスク）を実行するためにメモリに記憶されたコンピュータ可読命令を実行するように構成され得る。
【０１２２】
[0130]  メモリ９２５は、ランダムアクセスメモリ（ＲＡＭ）および読取り専用メモリ（ＲＯＭ）を含み得る。メモリ９２５は、実行されたとき、プロセッサに本明細書で説明される様々な機能を実行させる命令を含むコンピュータ可読、コンピュータ実行可能ソフトウェア９３０を記憶し得る。場合によっては、メモリ９２５は、特に、周辺構成要素またはデバイスとの対話などの基本的なハードウェアまたはソフトウェア動作を制御し得る基本入出力システム（ＢＩＯＳ）を含み得る。
【０１２３】
[0131]  ソフトウェア９３０は、ワイヤレス通信におけるカバレージ拡張のための共通探索空間設計をサポートするためのコード（code）を含む、本開示の態様を実装するためのコードを含み得る。ソフトウェア９３０は、システムメモリまたは他のメモリなど、非一時的コンピュータ可読媒体に記憶され得る。いくつかの場合には、ソフトウェア９３０は、プロセッサによって直接的に実行可能でないことがあるが、（たとえば、コンパイルされ実行されたとき）コンピュータに本明細書で説明される機能を実行させ得る。
【０１２４】
[0132]  トランシーバ９３５は、上記で説明したように、１つまたは複数のアンテナ、ワイヤードリンク、またはワイヤレスリンクを介して双方向に通信し得る。たとえば、トランシーバ９３５はワイヤレストランシーバを表し得、別のワイヤレストランシーバと双方向に通信し得る。トランシーバ９３５はまた、パケットを変調し、変調されたパケットを送信のためにアンテナに与えるための、およびアンテナから受信されたパケットを復調するためのモデムを含み得る。
【０１２５】
[0133]  場合によっては、ワイヤレスデバイスは単一のアンテナ９４０を含み得る。ただし、場合によっては、デバイスは、複数のワイヤレス送信を同時に送信または受信することが可能であり得る２つ以上のアンテナ９４０を有し得る。
【０１２６】
[0134]  Ｉ／Ｏコントローラ９４５は、デバイス９０５のための入力および出力信号を管理し得る。Ｉ／Ｏコントローラ９４５は、デバイス９０５に組み込まれていない周辺機器をも管理し得る。いくつかの場合には、Ｉ／Ｏコントローラ９４５は外部周辺機器への物理接続またはポートを表し得る。いくつかの場合には、Ｉ／Ｏコントローラ９４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の知られているオペレーティングシステムなど、オペレーティングシステムを利用し得る。他の場合、Ｉ／Ｏコントローラ９４５は、モデム、キーボード、マウス、タッチスクリーン、または同様のデバイスを表すか、またはそれらと対話し得る。いくつかの場合には、Ｉ／Ｏコントローラ９４５はプロセッサの一部として実装され得る。いくつかの場合には、ユーザは、Ｉ／Ｏコントローラ９４５を介して、またはＩ／Ｏコントローラ９４５によって制御されるハードウェア構成要素を介してデバイス９０５と対話し得る。
【０１２７】
[0135]  図１０に、本開示の態様による、ワイヤレス通信におけるカバレージ拡張のための共通探索空間設計をサポートするワイヤレスデバイス１００５のブロック図  １０００を示す。ワイヤレスデバイス１００５は、本明細書で説明した基地局１０５の態様の一例であり得る。ワイヤレスデバイス１００５は、受信機１０１０と、基地局通信マネージャ１０１５と、送信機１０２０とを含み得る。ワイヤレスデバイス１００５は、プロセッサをも含み得る。これらの構成要素の各々は（たとえば、１つまたは複数のバスを介して）互いに通信していることがある。
【０１２８】
[0136]  受信機１０１０は、パケット、ユーザデータ、または様々な情報チャネルに関連付けられた制御情報（たとえば、ワイヤレス通信におけるカバレージ拡張のための共通探索空間設計に関係する制御チャネル、データチャネル、および情報など）などの情報を受信し得る。情報はデバイスの他の構成要素に受け渡され得る。受信機１０１０は、図１３を参照しながら説明されるトランシーバ１３３５の態様の一例であり得る。受信機１０１０は、単一のアンテナまたはアンテナのセットを利用し得る。
【０１２９】
[0137]  基地局通信マネージャ１０１５は、図１３を参照しながら説明される基地局通信マネージャ１３１５の態様の一例であり得る。
【０１３０】
[0138]  基地局通信マネージャ１０１５および／またはそれの様々な副構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局通信マネージャ１０１５および／またはそれの様々な副構成要素のうちの少なくともいくつかの機能は、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本開示で説明される機能を実行するように設計されたそれらの任意の組合せによって実行され得る。基地局通信マネージャ１０１５および／またはそれの様々な副構成要素のうちの少なくともいくつかは、機能の部分が、１つまたは複数の物理デバイスによって異なる物理的ロケーションにおいて実装されるように分散されることを含めて、様々な位置に物理的に配置され得る。いくつかの例では、基地局通信マネージャ１０１５および／またはそれの様々な副構成要素のうちの少なくともいくつかは、本開示の様々な態様による、分離したおよび別個の構成要素であり得る。他の例では、基地局通信マネージャ１０１５および／またはそれの様々な副構成要素のうちの少なくともいくつかは、本開示の様々な態様による、限定はしないが、Ｉ／Ｏ構成要素、トランシーバ、ネットワークサーバ、別のコンピューティングデバイス、本開示で説明される１つまたは複数の他の構成要素、またはそれらの組合せを含む、１つまたは複数の他のハードウェア構成要素と組み合わされ得る。
【０１３１】
[0139]  基地局通信マネージャ１０１５は、ｅＰＤＣＣＨのための共通探索空間を識別し、Ｃ−ＰＤＣＣＨに共通探索空間内の制御チャネル要素の第１のセットを割り振り、ＵＥ１１５に、制御チャネル要素の割り振られたセットを介してＤＣＩを送信し得る。
【０１３２】
[0140]  送信機１０２０は、デバイスの他の構成要素によって生成された信号を送信し得る。いくつかの例では、送信機１０２０は、トランシーバモジュールにおいて受信機１０１０とコロケートされ得る。たとえば、送信機１０２０は、図１３を参照しながら説明されるトランシーバ１３３５の態様の一例であり得る。送信機１０２０は、単一のアンテナまたはアンテナのセットを利用し得る。
【０１３３】
[0141]  図１１に、本開示の態様による、ワイヤレス通信におけるカバレージ拡張のための共通探索空間設計をサポートするワイヤレスデバイス１１０５のブロック図  １１００を示す。ワイヤレスデバイス１１０５は、図１０を参照しながら説明したワイヤレスデバイス１００５または基地局１０５の態様の一例であり得る。ワイヤレスデバイス１１０５は、受信機１１１０と、基地局通信マネージャ１１１５と、送信機１１２０とを含み得る。ワイヤレスデバイス１１０５は、プロセッサをも含み得る。これらの構成要素の各々は（たとえば、１つまたは複数のバスを介して）互いに通信していることがある。
【０１３４】
[0142]  受信機１１１０は、パケット、ユーザデータ、または様々な情報チャネルに関連付けられた制御情報（たとえば、ワイヤレス通信におけるカバレージ拡張のための共通探索空間設計に関係する制御チャネル、データチャネル、および情報など）などの情報を受信し得る。情報はデバイスの他の構成要素に受け渡され得る。受信機１１１０は、図１３を参照しながら説明されるトランシーバ１３３５の態様の一例であり得る。受信機１１１０は、単一のアンテナまたはアンテナのセットを利用し得る。
【０１３５】
[0143]  基地局通信マネージャ１１１５は、図１３を参照しながら説明される基地局通信マネージャ１３１５の態様の一例であり得る。
【０１３６】
[0144]  基地局通信マネージャ１１１５はまた、探索空間識別子（search space identifier）１１２５と、割振り構成要素（allocation component）１１３０と、送信構成要素１１３５とを含み得る。
【０１３７】
[0145]  探索空間識別子１１２５は、ｅＰＤＣＣＨのための共通探索空間を識別し、識別された共通探索空間と重複する第２の共通探索空間を識別し得、ここで、第２の共通探索空間は、タイプ−１  ＤＣＩに関連付けられ、識別された共通探索空間は、タイプ−０  ＤＣＩに関連付けられる。
【０１３８】
[0146]  割振り構成要素１１３０は、Ｃ−ＰＤＣＣＨに共通探索空間内の制御チャネル要素の第１のセットを割り振り、ＳＩＢ、ＳＩＢ−ＭＦ１許可、ランダムアクセスメッセージ、ページングメッセージ、ＴＰＣメッセージ、またはそれらの組合せに共通探索空間内の制御要素の第２のセットを割り振り得る。
【０１３９】
[0147]  送信構成要素１１３５は、ＵＥ１１５に、制御チャネル要素の割り振られたセットを介してＤＣＩを送信し得る。
【０１４０】
[0148]  送信機１１２０は、デバイスの他の構成要素によって生成された信号を送信し得る。いくつかの例では、送信機１１２０は、トランシーバモジュールにおいて受信機１１１０とコロケートされ得る。たとえば、送信機１１２０は、図１３を参照しながら説明されるトランシーバ１３３５の態様の一例であり得る。送信機１１２０は、単一のアンテナまたはアンテナのセットを利用し得る。
【０１４１】
[0149]  図１２に、本開示の態様による、ワイヤレス通信におけるカバレージ拡張のための共通探索空間設計をサポートする基地局通信マネージャ１２１５のブロック図  １２００を示す。基地局通信マネージャ１２１５は、図１０、図１１、および図１３を参照しながら説明される基地局通信マネージャ１３１５の態様の一例であり得る。基地局通信マネージャ１２１５は、探索空間識別子１２２０と、割振り構成要素１２２５と、送信構成要素１２３０と、ＭＩＢ構成要素１２３５とを含み得る。これらのモジュールの各々は、直接または間接的に、（たとえば、１つまたは複数のバスを介して）互いに通信し得る。
【０１４２】
[0150]  探索空間識別子１２２０は、ｅＰＤＣＣＨのための共通探索空間を識別し、識別された共通探索空間と重複する第２の共通探索空間を識別し得、ここで、第２の共通探索空間は、タイプ−１  ＤＣＩに関連付けられ、識別された共通探索空間は、タイプ−０  ＤＣＩに関連付けられる。
【０１４３】
[0151]  割振り構成要素１２２５は、Ｃ−ＰＤＣＣＨに共通探索空間内の制御チャネル要素の第１のセットを割り振り、ＳＩＢ、ＳＩＢ−ＭＦ１許可、ランダムアクセスメッセージ、ページングメッセージ、ＴＰＣメッセージ、またはそれらの組合せに共通探索空間内の制御要素の第２のセットを割り振り得る。
【０１４４】
[0152]  送信構成要素１２３０は、ＵＥ１１５に、制御チャネル要素の割り振られたセットを介してＤＣＩを送信し得る。
【０１４５】
[0153]  ＭＩＢ構成要素１２３５は、Ｃ−ＰＤＣＣＨ、ＳＩＢ−ＭＦ１許可、ｅＰＤＣＣＨの送信モード、またはそれらの組合せについての情報を示すＭＩＢを送信し得る。場合によっては、ＭＩＢのビットのセットは、共通探索空間のサイズおよび／またはザの送信モードを示す。
【０１４６】
[0154]  図１３に、本開示の態様による、ワイヤレス通信におけるカバレージ拡張のための共通探索空間設計をサポートするデバイス１３０５を含むシステム１３００の図を示す。デバイス１３０５は、たとえば、図１を参照しながら上記で説明した基地局１０５の構成要素の一例であるか、またはそれを含み得る。デバイス１３０５は、基地局通信マネージャ１３１５と、プロセッサ１３２０と、メモリ１３２５と、ソフトウェア１３３０と、トランシーバ１３３５と、アンテナ１３４０と、ネットワーク通信マネージャ１３４５と、局間通信マネージャ（inter-station communications manager）１３５０とを含む、通信を送信および受信するための構成要素を含む双方向音声およびデータ通信のための構成要素を含み得る。これらの構成要素は、１つまたは複数のバス（たとえば、バス１３１０）を介して電子通信していることがある。デバイス１３０５は、１つまたは複数のＵＥ１１５とワイヤレス通信し得る。
【０１４７】
[0155]  プロセッサ１３２０は、インテリジェントハードウェアデバイス（たとえば、汎用プロセッサ、ＤＳＰ、ＣＰＵ、マイクロコントローラ、ＡＳＩＣ、ＦＰＧＡ、プログラマブル論理デバイス、個別ゲートまたはトランジスタ論理構成要素、個別ハードウェア構成要素、あるいはそれらの任意の組合せ）を含み得る。いくつかの場合には、プロセッサ１３２０は、メモリコントローラを使用してメモリアレイを動作させるように構成され得る。他の場合には、メモリコントローラはプロセッサ１３２０に組み込まれ得る。プロセッサ１３２０は、様々な機能（たとえば、ワイヤレス通信におけるカバレージ拡張のための共通探索空間設計をサポートする機能またはタスク）を実行するためにメモリに記憶されたコンピュータ可読命令を実行するように構成され得る。
【０１４８】
[0156]  メモリ１３２５はＲＡＭとＲＯＭとを含み得る。メモリ１３２５は、実行されたときに、本明細書で説明される様々な機能をプロセッサに実施させる命令を含むコンピュータ可読、コンピュータ実行可能ソフトウェア１３３０を記憶し得る。場合によっては、メモリ１３２５は、特に、周辺構成要素またはデバイスとの対話などの基本的なハードウェアまたはソフトウェア動作を制御し得るＢＩＯＳを含み得る。
【０１４９】
[0157]  ソフトウェア１３３０は、ワイヤレス通信におけるカバレージ拡張のための共通探索空間設計をサポートするためのコードを含む、本開示の態様を実装するためのコードを含み得る。ソフトウェア１３３０は、システムメモリまたは他のメモリなど、非一時的コンピュータ可読媒体に記憶され得る。いくつかの場合には、ソフトウェア１３３０は、プロセッサによって直接的に実行可能でないことがあるが、（たとえば、コンパイルされ実行されたとき）コンピュータに本明細書で説明される機能を実行させ得る。
【０１５０】
[0158]  トランシーバ１３３５は、上記で説明したように、１つまたは複数のアンテナ、ワイヤードリンク、またはワイヤレスリンクを介して双方向に通信し得る。たとえば、トランシーバ１３３５はワイヤレストランシーバを表し得、別のワイヤレストランシーバと双方向に通信し得る。トランシーバ１３３５はまた、パケットを変調し、変調されたパケットを送信のためにアンテナに与えるための、およびアンテナから受信されたパケットを復調するためのモデムを含み得る。
【０１５１】
[0159]  場合によっては、ワイヤレスデバイスは単一のアンテナ１３４０を含み得る。ただし、場合によっては、デバイスは、複数のワイヤレス送信を同時に送信または受信することが可能であり得る２つ以上のアンテナ１３４０を有し得る。
【０１５２】
[0160]  ネットワーク通信マネージャ１３４５は、（たとえば、１つまたは複数のワイヤードバックホールリンクを介して）コアネットワークとの通信を管理し得る。たとえば、ネットワーク通信マネージャ１３４５は、１つまたは複数のＵＥ１１５など、クライアントデバイスのためのデータ通信の転送を管理し得る。
【０１５３】
[0161]  局間通信マネージャ１３５０は、他の基地局１０５との通信を管理し得、他の基地局１０５と協働してＵＥ１１５との通信を制御するためのコントローラまたはスケジューラを含み得る。たとえば、局間通信マネージャ１３５０は、ビームフォーミングまたはジョイント送信などの様々な干渉緩和技法のためのＵＥ１１５への送信のためのスケジューリングを協調させ得る。いくつかの例では、局間通信マネージャ１３５０は、基地局１０５間の通信を行うために、ＬＴＥ／ＬＴＥ−Ａワイヤレス通信ネットワーク技術内のＸ２インターフェースを与え得る。
【０１５４】
[0162]  図１４に、本開示の態様による、ワイヤレス通信におけるカバレージ拡張のための共通探索空間設計のための方法１４００を示すフローチャートを示す。方法１４００の動作は、本明細書で説明したＵＥ１１５またはそれの構成要素によって実装され得る。たとえば、方法１４００の動作は、図６〜図９を参照しながら説明したＵＥ通信マネージャによって実行され得る。いくつかの例では、ＵＥ１１５は、以下で説明される機能を実行するようにデバイスの機能要素を制御するためのコードのセットを実行し得る。追加または代替として、ＵＥ１１５は、専用ハードウェアを使用して、以下で説明される機能の態様を実行し得る。
【０１５５】
[0163]  １４０５において、ＵＥ１１５は、基地局１０５から、ＭＩＢを受信し得る。１４０５の動作は、本明細書で説明する方法に従って実行され得る。いくつかの例では、１４０５の動作の態様は、図６〜図９を参照しながら説明した受信構成要素によって実行され得る。
【０１５６】
[0164]  １４１０において、ＵＥ１１５は、ＭＩＢに基づいて、ＰＤＣＣＨのための共通探索空間を決定し得る。１４１０の動作は、本明細書で説明する方法に従って実行され得る。いくつかの例では、１４１０の動作の態様は、図６〜図９を参照しながら説明した探索空間構成要素によって実行され得る。
【０１５７】
[0165]  １４１５において、ＵＥ１１５は、共通探索空間の制御チャネル要素のセットを監視し得る。場合によっては、制御チャネル要素のセットは、Ｃ−ＰＤＣＣＨに関連付けられ得る。１４１５の動作は、本明細書で説明する方法に従って実行され得る。いくつかの例では、１４１５の動作の態様は、図６〜図９を参照しながら説明した制御構成要素によって実行され得る。
【０１５８】
[0166]  １４２０において、ＵＥ１１５は、制御チャネル要素の監視されたセットに基づいてＳＩＢ許可（たとえば、ＳＩＢ−ＭＦ１許可）を復号し得る。ＵＥ１１５は、制御チャネル要素の監視されたセットに基づいてＣ−ＰＤＣＣＨを復号し得る。１４２０の動作は、本明細書で説明する方法に従って実行され得る。いくつかの例では、１４２０の動作の態様は、図６〜図９を参照しながら説明したデコーダによって実行され得る。
【０１５９】
[0167]  図１５に、本開示の態様による、ワイヤレス通信におけるカバレージ拡張のための共通探索空間設計のための方法１５００を示すフローチャートを示す。方法１５００の動作は、本明細書で説明した基地局１０５またはそれの構成要素によって実装され得る。たとえば、方法１５００の動作は、図１０〜図１３を参照しながら説明した基地局通信マネージャによって実行され得る。いくつかの例では、基地局１０５は、以下で説明される機能を実行するようにデバイスの機能要素を制御するためのコードのセットを実行し得る。追加または代替として、基地局１０５は、専用ハードウェアを使用して、以下で説明される機能の態様を実施し得る。
【０１６０】
[0168]  １５０５において、基地局１０５は、ｅＰＤＣＣＨのための共通探索空間を識別し得る。１５０５の動作は、本明細書で説明する方法に従って実行され得る。いくつかの例では、１５０５の動作の態様は、図１０〜図１３を参照しながら説明した探索空間識別子によって実行され得る。
【０１６１】
[0169]  １５１０において、基地局１０５は、Ｃ−ＰＤＣＣＨに共通探索空間内の制御チャネル要素の第１のセットを割り振り得る。１５１０の動作は、本明細書で説明する方法に従って実行され得る。いくつかの例では、１５１０の動作の態様は、図１０〜図１３を参照しながら説明した割振り構成要素によって実行され得る。
【０１６２】
[0170]  １５１５において、基地局１０５は、ＵＥ１１５に、制御チャネル要素の割り振られたセットを介してＤＣＩを送信し得る。１５１５の動作は、本明細書で説明する方法に従って実行され得る。いくつかの例では、１５１５の動作の態様は、図１０〜図１３を参照しながら説明したように、送信構成要素によって実行され得る。
【０１６３】
[0171]  上記で説明される方法が、可能な実装形態を表すこと、ならびに動作およびステップが並べ替えられるかあるいは別の様態で変更され得ること、ならびに他の実装形態が可能であることに留意されたい。さらに、方法のうちの２つ以上からの態様が組み合わされ得る。
【０１６４】
[0172]  本明細書で説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。ＣＤＭＡシステムは、ＣＤＭＡ２０００、ユニバーサル地上波無線アクセス（ＵＴＲＡ）などのような無線技術を実装し得る。ＣＤＭＡ２０００は、ＩＳ−２０００、ＩＳ−９５、およびＩＳ−８５６規格をカバーする。ＩＳ−２０００リリースは、一般に、ＣＤＭＡ２０００  １Ｘ、１Ｘなどと呼ばれることがある。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））と、ＣＤＭＡの他の変形態とを含む。ＴＤＭＡシステムは、モバイル通信用グローバルシステム（ＧＳＭ（登録商標））などの無線技術を実装し得る。
【０１６５】
[0173]  ＯＦＤＭＡシステムは、ウルトラモバイルブロードバンド（ＵＭＢ）、発展型ＵＴＲＡ（Ｅ−ＵＴＲＡ）、米国電気電子技術者協会（ＩＥＥＥ）８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ）の一部である。ＬＴＥおよびＬＴＥ−Ａは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＮＲ、およびＧＳＭは、「第３世代パートナーシッププロジェクト」（３ＧＰＰ（登録商標））という名称の組織からの文書に記載されている。ＣＤＭＡ２０００およびＵＭＢは、「第３世代パートナーシッププロジェクト２」（３ＧＰＰ２）という名称の組織からの文書に記載されている。本明細書において説明される技法は、上記のシステムおよび無線技術、ならびに他のシステムおよび無線技術に使用され得る。ＬＴＥまたはＮＲシステムの態様が例として説明され得、ＬＴＥまたはＮＲ用語が説明の大部分において使用され得るが、本明細書で説明される技法は、ＬＴＥまたはＮＲ適用例を越えて適用可能である。
【０１６６】
[0174]  マクロセルは、一般に、比較的大きい地理的エリア（たとえば、半径数キロメートル）をカバーし、ネットワークプロバイダのサービスに加入しているＵＥ１１５による無制限アクセスを可能にし得る。スモールセルは、マクロセルと比較して、低電力基地局１０５に関連付けられ得、スモールセルは、マクロセルと同じかまたは異なる（たとえば、認可、無認可などの）周波数帯域で動作し得る。スモールセルは、様々な例によれば、ピコセル、フェムトセルおよびマイクロセルを含み得る。ピコセルは、たとえば、小さい地理的エリアをカバーし得、ネットワークプロバイダのサービスに加入しているＵＥ１１５による無制限アクセスを可能にし得る。フェムトセルも、小さい地理的エリア（たとえば、自宅）をカバーし得、フェムトセルとの関連付けを有するＵＥ１１５（たとえば、限定加入者グループ（ＣＳＧ）内のＵＥ１１５、自宅内のユーザのためのＵＥ１１５など）による制限付きアクセスを与え得る。マクロセルのためのｅＮＢは、マクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セルをサポートし得、また、１つまたは複数のコンポーネントキャリアを使用した通信をサポートし得る。
【０１６７】
[0175]  ワイヤレス通信システム１００もしくは２００または本明細書で説明されるシステムは、同期動作または非同期動作をサポートし得る。同期動作の場合、基地局１０５は同様のフレームタイミングを有し得、異なる基地局１０５からの送信は時間的にほぼ整合され得る。非同期動作の場合、基地局１０５は異なるフレームタイミングを有し得、異なる基地局１０５からの送信は時間的に整合されないことがある。本明細書で説明される技法は、同期動作または非同期動作のいずれかのために使用され得る。
【０１６８】
[0176]  本明細書で説明される情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１６９】
[0177]  本明細書の開示に関して説明される様々な例示的なブロックおよびモジュールは、汎用プロセッサ、ＤＳＰ、ＡＳＩＣ、ＦＰＧＡまたは他のプログラマブル論理デバイス、個別ゲートまたはトランジスタ論理、個別ハードウェア構成要素、あるいは本明細書で説明された機能を実施するように設計されたそれらの任意の組合せを用いて実装または実行され得る。汎用プロセッサは、マイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携する１つもしくは複数のマイクロプロセッサ、または任意の他のそのような構成）としても実装され得る。
【０１７０】
[0178]  本明細書で説明される機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、あるいはコンピュータ可読媒体を介して送信され得る。他の例および実装形態は、本開示の範囲内および添付の特許請求の範囲内にある。たとえば、ソフトウェアの性質により、上記で説明される機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が異なる物理的ロケーションにおいて実装されるように分散されることを含めて、様々な位置に物理的に配置され得る。
【０１７１】
[0179]  コンピュータ可読媒体は、ある場所から別の場所へのコンピュータプログラムの転送を容易にする任意の媒体を含む、非一時的コンピュータ記憶媒体と通信媒体との両方を含む。非一時的記憶媒体は、汎用コンピュータまたは専用コンピュータによってアクセスすることができる任意の利用可能な媒体であり得る。限定ではなく例として、非一時的コンピュータ可読媒体は、ＲＡＭ、ＲＯＭ、電気的消去可能プログラマブルＲＯＭ（ＥＥＰＲＯＭ（登録商標））、フラッシュメモリ、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶する（store）ために使用され得、汎用もしくは専用コンピュータ、または汎用もしくは専用プロセッサによってアクセスされ得る、任意の他の非一時的媒体を備え得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（ｄｉｓｋ）およびディスク（ｄｉｓｃ）は、ＣＤ、レーザーディスク（登録商標）（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）およびＢｌｕ−ｒａｙ（登録商標）ディスク（ｄｉｓｃ）を含み、ここで、ディスク（ｄｉｓｋ）は、通常、データを磁気的に再生し、ディスク（ｄｉｓｃ）は、データをレーザーで光学的に再生する。上記の組合せもコンピュータ可読媒体の範囲内に含まれる。
【０１７２】
[0180]  特許請求の範囲内を含めて本明細書で使用する、項目のリスト（たとえば、「のうちの少なくとも１つ」または「のうちの１つまたは複数」などの句で終わる項目のリスト）内で使用される「または」は、たとえば、Ａ、Ｂ、またはＣのうちの少なくとも１つのリストが、ＡまたはＢまたはＣまたはＡＢまたはＡＣまたはＢＣまたはＡＢＣ（すなわち、ＡおよびＢおよびＣ）を意味するような包括的なリストを示す。また、本明細書で使用される「に基づいて」という句は、条件の閉集合への参照として解釈されるべきでない。たとえば、「条件Ａに基づいて」と記述された例示的なステップは、本開示の範囲から逸脱することなく条件Ａと条件Ｂとの両方に基づき得る。言い換えれば、本明細書で使用される場合、「に基づいて」という句は、「に少なくとも部分的に基づいて」という句と同様に解釈されたい。
【０１７３】
[0181]  添付の図では、同様の構成要素または特徴は同じ参照ラベルを有し得る。さらに、同じタイプの様々な構成要素が、参照ラベルの後に、ダッシュと、同様の構成要素を区別する第２のラベルとを続けることによって区別され得る。第１の参照ラベルのみが本明細書において使用される場合、説明は、第２の参照ラベルまたは他の後の参照ラベルにかかわらず、同じ第１の参照ラベルを有する同様の構成要素のいずれにも適用可能である。
【０１７４】
[0182]  添付の図面に関して本明細書に記載した説明は、例示的な構成について説明しており、実装され得るまたは特許請求の範囲内に入るすべての例を表すとは限らない。本明細書で使用する「例示的」という用語は、「例、事例、または例示の働きをすること」を意味し、「好ましい」または「他の例よりも有利な」を意味しない。詳細な説明は、説明された技法の理解を与えるための具体的な詳細を含む。しかしながら、これらの技法は、これらの特定の詳細なしに実践され得る。いくつかの事例では、説明された例の概念を不明瞭にすることを回避するために、よく知られている構造およびデバイスがブロック図の形式で示される。
【０１７５】
[0183]  本明細書の説明は、当業者が本開示を作成または使用することができるように与えたものである。本開示への様々な変更は当業者には容易に明らかとなり、本明細書で定義された一般原理は、本開示の範囲から逸脱することなく他の変形形態に適用され得る。したがって、本開示は、本明細書で説明される例および設計に限定されず、本明細書で開示される原理および新規の特徴に合致する最も広い範囲を与えられるべきである。
【図１】
2020534744.tif 000004
【図２】
2020534744.tif 000005
【図３】
2020534744.tif 000006
【図４】
2020534744.tif 000007
【図５】
2020534744.tif 000008
【図６】
2020534744.tif 000009
【図７】
2020534744.tif 000010
【図８】
2020534744.tif 000011
【図９】
2020534744.tif 000012
【図１０】
2020534744.tif 000013
【図１１】
2020534744.tif 000014
【図１２】
2020534744.tif 000015
【図１３】
2020534744.tif 000016
【図１４】
2020534744.tif 000017
【図１５】
2020534744.tif 000018
【国際調査報告】
2020534744.tif 000019
2020534744.tif 000020
2020534744.tif 000021